(57)【要約】  無線デバイスによって実行される方法（１３００）が開示される。本方法は、無線デバイスにおける無線リソースを管理するためのものであり、無線デバイスによる使用のための無線ベアラを設定するメッセージを受信すること（１３０２）と、無線ベアラのための暗号化を有効化又は無効化する暗号化コンフィグ設定のためのメッセージを確認すること（１３０４）と、受信したメッセージに従って無線ベアラのための暗号化の有効化又は無効化の少なくともいずれかを実行すること（１３０６）とを有する。また、無線デバイスによる使用のための無線リソースを設定するために基地局によって実行される方法（１５００）、無線デバイス（１４００）、ユーザ端末、および基地局（１６００）が開示される。【選択図】図１３
2021520687.tif 000002
【特許請求の範囲】
【請求項１】
無線デバイスにおける無線リソースの管理のための、前記無線デバイスによって実行される方法であって、
前記無線デバイスによる使用のための無線ベアラを設定するメッセージを受信すること（１３０２）と、
前記無線ベアラに対する暗号化を有効化又は無効化する暗号化コンフィグ設定のための前記メッセージを確認すること（１３０４）と、
受信した前記メッセージに従って前記無線ベアラのための暗号化の有効化又は無効化の少なくともいずれかを実行すること（１３０６）と、
を有する方法。
【請求項２】
請求項１に記載の方法であって、受信した前記メッセージに従って前記無線ベアラのための暗号化の有効化又は無効化の少なくともいずれかを実行すること（１３０６）は、
前記メッセージが前記無線ベアラに対する暗号化コンフィグ設定を含む場合、前記メッセージに含まれている前記暗号化コンフィグ設定に従って、前記無線ベアラのための暗号化の有効化又は無効化の少なくともいずれかを実行することと、
前記メッセージが前記無線ベアラに対する暗号化コンフィグ設定を含まない場合、前記無線ベアラに対する参照暗号化コンフィグ設定に従って、前記無線ベアラのための暗号化の有効化又は無効化の少なくともいずれかを実行することと、
を含む方法。
【請求項３】
請求項２に記載の方法であって、
前記メッセージによって設定される前記無線ベアラが前記無線デバイスのための現在の設定の一部でない場合、前記参照暗号化コンフィグ設定はデフォルトの暗号化コンフィグ設定を含み、
前記メッセージによって設定される前記無線ベアラが前記無線デバイスのための現在の設定の一部である場合、前記参照暗号化コンフィグ設定は、前記無線ベアラのための既存の暗号化コンフィグ設定を含む、方法。
【請求項４】
請求項１から３のいずれか１項に記載の方法であって、前記メッセージは、無線リソース制御コネクションリコンフィギュレーションメッセージ又は無線リソース制御リコンフィギュレーションメッセージを含む、方法。
【請求項５】
請求項１から４のいずれか１項に記載の方法であって、前記無線ベアラに対する暗号化コンフィグ設定のための前記メッセージを確認すること（１３０４）は、RadioBearerConfig情報要素の内部の情報要素を確認することを含む、方法。
【請求項６】
請求項１から５のいずれか１項に記載の方法であって、前記メッセージは、前記無線デバイスのために複数の無線ベアラを設定し、前記無線ベアラに対する暗号化コンフィグ設定のための前記メッセージを確認すること（１３０４）は、前記無線ベアラに固有の情報要素を確認することを含む、方法。
【請求項７】
請求項６に記載の方法であって、前記無線ベアラに固有の前記情報要素は、pdcp-Configを含む、方法。
【請求項８】
請求項６に記載の方法であって、前記無線ベアラに固有の前記情報要素は、
データ無線ベアラに対するDRB-ToAddMod情報要素と、
シグナリング無線ベアラに対するSRB-ToAddMod情報要素と、を含む方法。
【請求項９】
請求項６から８のいずれか１項に記載の方法であって、前記無線ベアラに対する暗号化コンフィグ設定のための前記メッセージを確認すること（１３０４）は、前記情報要素のエクステンションマーカの後を確認することを含む、方法。
【請求項１０】
請求項９に記載の方法であって、前記暗号化コンフィグ設定は、暗号化が有効化されるべきか無効化されるべきかを示す単一ビットを含んだオプションのパラメータを含む、方法。
【請求項１１】
請求項１から５のいずれか１項に記載の方法であって、前記メッセージは前記無線デバイスのための複数の無線ベアラを設定し、前記無線ベアラに対する暗号化コンフィグ設定のための前記メッセージを確認すること（１３０４）は、前記メッセージによって設定される全ての無線ベアラに適用可能な情報要素を確認することを含む、方法。
【請求項１２】
請求項１１に記載の方法、前記メッセージによって設定される全ての無線ベアラに適用可能な情報要素は、SecurityConfig情報要素を含む、方法。
【請求項１３】
請求項１１又は１２に記載の方法、前記無線ベアラに対する暗号化コンフィグ設定のための前記メッセージを確認すること（１３０４）は、前記メッセージによって設定される無線ベアラに対する暗号化コンフィグ設定のリストを確認することを含む、方法。
【請求項１４】
請求項１３に記載の方法であって、前記リストは、無線ベアラアイデンティティごとに暗号化コンフィグ設定を特定する、方法。
【請求項１５】
請求項２に従属する請求項１３又は１４に記載の方法であって、前記リストは、前記暗号化コンフィグ設定が前記参照暗号化コンフィグ設定と異なるベアラに対する暗号化コンフィグ設定のみを含む、方法。
【請求項１６】
請求項１から５のいずれか１項に記載の方法であって、前記無線ベアラは、プロトコルデータユニット（ＰＤＵ）セッションに関連し、前記無線ベアラに対する暗号化コンフィグ設定のための前記メッセージを確認すること（１３０４）は、当該ＰＤＵセッションに関連するすべての無線ベアラへの適用のための暗号化コンフィグを確認することを含む、方法。
【請求項１７】
基地局によって実行される、無線デバイスによる使用のために無線リソースを設定するための方法であって、
前記無線デバイスによる使用のための無線ベアラを設定するメッセージを生成すること（１５０２）と、
前記無線ベアラのための暗号化を有効化又は無効化する暗号化コンフィグ設定を前記メッセージに含めること（１５０４）と、
前記メッセージを前記デバイスへ送信すること（１５０６）と、を含む方法。
【請求項１８】
請求項１７に記載の方法であって、
前記無線ベアラのための前記暗号化コンフィグ設定を前記無線ベアラのための参照暗号化コンフィグ設定と比較することと、
前記暗号化コンフィグ設定が前記参照暗号化コンフィグ設定と異なる場合にのみ、前記無線ベアラのための前記暗号化コンフィグ設定を前記生成したメッセージに含めることと、
をさらに含む方法。
【請求項１９】
請求項１８に記載の方法であって、
前記メッセージによって設定される前記無線ベアラが前記無線デバイスのための現在の設定の一部でない場合、前記参照暗号化コンフィグ設定はデフォルトの暗号化コンフィグ設定を含み、
前記メッセージによって設定される前記無線ベアラが前記無線デバイスのための現在の設定の一部である場合、前記参照暗号化コンフィグ設定は、前記無線ベアラのための既存の暗号化コンフィグ設定を含む方法。
【請求項２０】
請求項１７から１９のいずれか１項に記載の方法であって、前記メッセージは、無線リソース制御（ＲＲＣ）リコンフィギュレーションメッセージを含む、方法。
【請求項２１】
請求項１７から２０のいずれか１項に記載の方法であって、前記無線ベアラに対する暗号化コンフィグ設定を前記メッセージに含めること（１５０４）は、前記暗号化コンフィグ設定を、RadioBearerConfig情報要素の内部の情報要素に含めることを含む、方法。
【請求項２２】
請求項１７から２１のいずれか１項に記載の方法であって、前記メッセージは、前記無線デバイスのための複数の無線ベアラを設定し、前記無線ベアラに対する暗号化コンフィグ設定を前記メッセージに含めること（１５０４）は、前記無線ベアラに固有の情報要素に前記暗号化コンフィグ設定を含めることを含む、方法。
【請求項２３】
請求項２２に記載の方法であって、前記無線ベアラに固有の前記情報要素は、pdcp-Configを含む、方法。
【請求項２４】
請求項２２に記載の方法であって、前記無線ベアラに固有の前記情報要素は、
データ無線ベアラに対するDRB-ToAddMod情報要素と、
シグナリング無線ベアラに対するSRB-ToAddMod情報要素と、を含む方法。
【請求項２５】
請求項２２から２４のいずれか１項に記載の方法であって、前記無線ベアラに対する暗号化コンフィグ設定を前記メッセージに含めること（１５０４）は、前記情報要素のエクステンションマーカの後に前記暗号化コンフィグ設定を含めることを含む、方法。
【請求項２６】
請求項２５に記載の方法であって、前記暗号化コンフィグ設定は、暗号化が有効化されるべきか無効化されるべきかを示す単一ビットを含んだオプションのパラメータを含む、方法。
【請求項２７】
請求項２２から２４のいずれか１項に記載の方法であって、前記無線ベアラに対する暗号化コンフィグ設定を前記メッセージに含めること（１５０４）は、前記暗号化コンフィグ設定を前記情報要素のエクステンションマーカの前に含めることを含み、前記暗号化コンフィグ設定は、Optional Enumerated (enabled) - Need Rパラメータを含む、方法。
【請求項２８】
請求項１７から２１のいずれか１項に記載の方法であって、前記メッセージは前記ＵＥのための複数の無線ベアラを設定し、前記無線ベアラに対する暗号化コンフィグ設定を前記メッセージに含めること（１５０４）は、前記メッセージによって設定される全ての無線ベアラへの適用のための情報要素に前記暗号化コンフィグ設定を含めることを含む、方法。
【請求項２９】
請求項２８に記載の方法であって、前記メッセージによって設定される全ての無線ベアラに適用可能な情報要素は、SecurityConfig情報要素を含む、方法。
【請求項３０】
請求項２８又は２９に記載の方法であって、前記無線ベアラに対する暗号化コンフィグ設定を前記メッセージに含めること（１５０４）は、前記メッセージによって設定される無線ベアラに対する暗号化コンフィグ設定のリストを含めることを含む、方法。
【請求項３１】
請求項３０に記載の方法であって、前記リストは、無線ベアラアイデンティティごとに暗号化コンフィグ設定を特定する、方法。
【請求項３２】
請求項１８に従属する請求項３０又は３１に記載の方法であって、前記リストは、前記暗号化コンフィグ設定が前記参照暗号化コンフィグ設定と異なるベアラに対する暗号化コンフィグ設定のみを含む、方法。
【請求項３３】
請求項１７から２１のいずれか１項に記載の方法であって、前記無線ベアラは、プロトコルデータユニット（ＰＤＵ）セッションに関連し、前記無線ベアラに対する暗号化コンフィグ設定を前記メッセージに含めること（１５０４）は、当該ＰＤＵセッションに関連するすべての無線ベアラへの適用のための暗号化コンフィグを含めることを含む、方法。
【請求項３４】
無線デバイスにおける無線リソースを管理するための前記無線デバイスであって、
処理回路と、
前記無線デバイスに電力を供給するように構成された電力供給回路と、を有し、
前記処理回路は、
ｉ．前記無線デバイスによる使用のための無線ベアラを設定するメッセージを受信し、
ｉｉ．前記無線ベアラのための暗号化を有効化又は無効化する暗号化コンフィグ設定のための前記メッセージを確認し、
ｉｉｉ．受信した前記メッセージに従って前記無線ベアラのための暗号化の有効化又は無効化の少なくともいずれかを実行する
ように構成される、無線デバイス。
【請求項３５】
無線デバイスによる使用のための無線リソースを設定するための基地局であって、
処理回路と、
前記基地局に電力を供給するように構成された電力供給回路と、を有し、
前記処理回路は、
ｉ．前記無線デバイスによる使用のための無線ベアラを設定するメッセージを生成し、
ｉｉ．前記無線ベアラのための暗号化を有効化又は無効化する暗号化コンフィグ設定を前記メッセージに含め、
ｉｉｉ．前記無線デバイスへ前記メッセージを送信する、
ように構成される、基地局。
【請求項３６】
無線デバイスにおける無線リソースを管理するユーザ端末（ＵＥ）であって、前記ＵＥは、
無線信号を送信及び受信するように構成されたアンテナと、
前記アンテナ及び処理回路に接続され、前記アンテナと前記処理回路との間で伝達される信号を調整するように構成された無線フロントエンド回路と、
前記処理回路であって、
ｉ．前記無線デバイスによる使用のための無線ベアラを設定するメッセージを受信し、
ｉｉ．前記無線ベアラのための暗号化を有効化又は無効化する暗号化コンフィグ設定のための前記メッセージを確認し、
ｉｉｉ．前記受信されたメッセージに従って前記無線ベアラのための暗号化を有効化又は無効化の少なくともいずれかを実行する
ように構成された前記処理回路と、
前記処理回路に接続され、前記ＵＥへの前記処理回路で処理されるべき情報の入力を可能とするように構成された入力インタフェースと、
前記処理回路に接続され、前記処理回路によって処理された情報を前記ＵＥから出力するように構成された出力インタフェースと、
前記処理回路に接続され、前記ＵＥへ電力を供給するように構成されたバッテリと、を有するユーザ端末（ＵＥ）。
【発明の詳細な説明】
【技術分野】
【０００１】
本開示は、無線デバイスによって実行される、無線デバイスにおける無線リソースを管理するための方法に関する。本開示は、基地局によって実行される、無線デバイスによる使用のために無線リソースを設定するための方法にも関する。また、本開示は、無線デバイス、ユーザ端末、基地局に関する。
【背景技術】
【０００２】
一般に、ここで使用される用語は、異なる意味が明示的に与えられない限り及び／又はそれが使用される文脈から暗示されない限り、関連する技術分野におけるその通常の意味に従って解釈されるべきである。エレメント、装置、コンポーネント、手段、ステップなどに対するすべての参照は、別途明示的に述べない限りは、そのエレメント、装置、コンポーネント、手段、ステップなどの少なくとも１つの例を参照するように率直に解釈されるべきである。ここで開示されるいずれかの方法のステップは、あるステップが他のステップに続く又は先立つと明示的に説明されない限り及び／又はステップが他のステップに続く又は先立たなければならないことが暗示されない限り、開示された厳密な順序で実行されなければならないわけではない。ここで開示される実施形態のいずれかの特徴は、適切であるならば、いずれも、任意の他の実施形態に適用されうる。同様に、任意の実施形態の利点は、いずれも、任意の他の実施形態に適用されてもよく、その逆もまたしかりである。開示される実施形態の他の目的、特徴および利点は、以下の説明から明らかになるだろう。
【０００３】
ＬＴＥにおいて、セキュリティソリューションは、暗号化と完全性保護とを含む。暗号化と完全性保護との両方に対して、第３世代パートナーシッププロジェクト（３ＧＰＰ）技術標準（ＴＳ）３３．４０１（ｖ１５．２．０）に定義されているように、ＬＴＥ（ロングタームエボリューション）のための４つの異なるアルゴリズム、ＥＥＡ０−３、および、ＥＩＡ０−３が特定されている。暗号化は、通信において攻撃者が盗聴することを妨げるように設計されており、一方で、完全性保護は、ＵＥとネットワークの両方のアイデンティティを検証することが意図されている。セキュリティを確実にするために、ＳＲＢ０を除く全ての無線ベアラが暗号化されるが、シグナリング無線ベアラ（ＳＲＢ）（ＳＲＢ０を除く）のみが完全性保護される。データ無線ベアラ（ＤＲＢ）が完全性保護されなかった理由は、使用可能な完全性保護を伴うパケットデータコンバージェンスプロトコル（ＰＤＣＰ）パケットのそれぞれに対する完全性のためのメッセージ認証コード（ＭＡＣ−Ｉ）の形式で、通信にオーバヘッドを追加することである。
【０００４】
暗号化手順は、３ＧＰＰ  ＴＳ３３．４０１（ｖ１５．２．０）のＢ．１節に説明されている。暗号化アルゴリズムへの入力パラメータは、ＫＥＹと名付けられた１２８ビット暗号鍵、３２ビットのＣＯＵＮＴ、５ビットのベアラアイデンティティＢＥＡＲＥＲ、１ビットの送信方向すなわちＤＩＲＥＣＴＩＯＮ、および、要求されるキーストリームの長さすなわちＬＥＮＧＴＨである。ＤＩＲＥＣＴＩＯＮは、上りリンクに対して０、下りリンクに対して１でなければならない。
【０００５】
図１は、ビット単位の平文及びキーストリームのバイナリ加算を用いてキーストリームを適用することにより平文を暗号化するための、暗号化アルゴリズムＥＥＡの使用を図解している。平文は、同じ入力パラメータを用いて同じキーストリームを生成して暗号文とのビット単位のバイナリ加算を適用することにより復元されうる。入力パラメータに基づいて、アルゴリズムは、入力平文ブロックＰＬＡＩＮＴＥＸＴを暗号化して出力暗号文ブロックＣＩＰＨＥＲＴＥＸＴを生成するのに使用される、出力キーストリームブロックＫＥＹＳＴＲＥＡＭを生成する。入力パラメータＬＥＮＧＴＨは、ＫＥＹＳＴＲＥＡＭ  ＢＬＯＣＫの長さにのみ作用しなければならず、その中の実際のビットには作用してはならない。
【０００６】
完全性保護手順は、３ＧＰＰ  ＴＳ３３．４０１（ｖ１５．２．０）のＣ．１節に説明されている。完全性アルゴリズムへの入力パラメータは、ＫＥＹと名付けられた１２８ビットの完全性鍵、３２ビットのＣＯＵＮＴ、５ビットのＢＥＡＲＥＲと呼ばれるベアラアイデンティティ、１ビットの送信方向すなわちＤＩＲＥＣＴＩＯＮ、およびメッセージそのものすなわちＭＥＳＳＡＧＥである。ＤＩＲＥＣＴＩＯＮは、上りリンクに対して０、下りリンクに対して１でなければならない。ＭＥＳＳＡＧＥのビット長がＬＥＮＧＴＨである。
【０００７】
図２は、ＭＡＣ−Ｉ／ＮＡＳ−ＭＡＣ（又はＸＭＡＣ−Ｉ／ＸＮＡＳ−ＭＡＣ）の導出を含む、メッセージの完全性を認証するための、完全性アルゴリズムＥＩＡの使用を図解している。これらの入力パラメータに基づいて、送信者は、完全性アルゴリズムＥＩＡを用いて、３２ビットのメッセージ認証コード（ＭＡＣ−Ｉ／ＮＡＳ−ＭＡＣ）を計算する。そして、メッセージ認証コードが、メッセージに、送信時に付加される。ＥＩＡ０以外の完全性保護アルゴリズムに対して、受信者は、送信者が送信されたメッセージ上でのそのメッセージ認証コード計算したのと同じ方法で受信されたメッセージ上の予定されるメッセージ認証コード（ＸＭＡＣ−Ｉ／ＸＮＡＳ−ＭＡＣ）を計算し、それと、受信されたメッセージ認証コードすなわちＭＡＣ−Ｉ／ＮＡＳ−ＭＡＣとを比較することにより、メッセージのデータ完全性を検証する。
【０００８】
Ｎｅｗ  Ｒａｄｉｏ（ＮＲ）又は５Ｇ（第５世代）に対して、初期リリースは、ＮＥＡ０−３及びＮＩＡ０−３と同じ、しかしＮＲコードポイントを用いて定義される、暗号化アルゴリズム及び完全性保護アルゴリズムを有するだろう。
【０００９】
ＮＲに対して、暗号化及び完全性保護が、少なくとも各ＰＤＵ（プロトコルデータユニット）セッション、および場合によっては各ＤＲＢに対して設定可能であるべきであることが合意されている。
【００１０】
現在、明白な課題がある。ＰＤＵセッションごとに又はＤＲＢごとに暗号化及び完全性保護を設定する特定の方法が現在はない。上述のように、ＬＴＥでは、暗号化が（ＳＲＢ０を除く）すべてのＳＲＢ及びすべてのＤＲＢに対して常に使用可能であるが、完全性保護が、（ＳＲＢ０）を除くすべてのＳＲＢに対してのみ使用可能である。
【００１１】
本開示およびそれらの実施形態のある態様は、これらの又は他の課題に対する解決策を提供しうる。本開示の目的は、上述の課題の１つ以上に少なくとも部分的に対処する方法、無線デバイス及び基地局を提供することである。
【発明の概要】
【００１２】
本開示の態様は、有効化された又は無効化された暗号化を用いて各無線ベアラをどのように設定するかを特定する。本開示の例によれば、このような設定は、最小のシグナリングオーバヘッドで達成される。
【００１３】
本開示の１つの例において、ＵＥは無線ベアラに対する暗号化のためのデフォルト設定を用いて設定され、無線ベアラの再設定は、この設定が変更される必要がある場合に、暗号化の再設定のみを含む。したがって、本開示のいくつかの態様によれば、非デフォルト設定を使用する場合又は既存の設定が再設定の間に変更されるべき場合に、暗号化保護が設定されるのみである。他には、シグナリングオーバヘッドは追加されない。
【００１４】
本開示の別の例では、無線ベアラの各設定又は再設定に対して、暗号化コンフィグが含まれる。
【００１５】
本開示の別の例では、ＰＤＵセッションごとに一度（無線ベアラごとに一度、に代えて）暗号化コンフィグが含まれる。
【００１６】
ここで提案されるように、ここで開示される１つ以上の課題に対処する様々な実施形態がある。所定の実施形態が、以下の技術的利点の１つ以上を提供しうる。本開示のいくつかの例によれば、最小のシグナリングオーバヘッドで、各無線ベアラのための暗号化を用いて個別に、ＵＥを設定又は再設定することができる。また、本開示は、無線ベアラを設定し又は修正するメッセージのサイズを大幅に削減する、最も一般的な設定のためのデフォルト値を用いる機構を導入する。本開示の例によって提供される恩恵は、エラーなく、接続が落ちるリスクを減らしてエンドユーザのパフォーマンスを改善しながら、エンドユーザが経験する遅延を減らすより高速なシグナリングで、および、より少ないオーバヘッドを伴うより小さい送信に起因する改善されたエネルギー効率で、メッセージが受信される可能性を増やすことを含みうる。
【００１７】
本開示の第１の態様によれば、無線デバイスによって実行される、無線デバイスにおける無線リソースを管理するための方法が提供される。本方法は、無線デバイスによる使用のための無線ベアラを設定するメッセージを受信すること、無線ベアラのための暗号化を有効化又は無効化する暗号化コンフィグ設定のためのメッセージを確認すること、および、受信したメッセージに従って無線ベアラのための暗号化の有効化又は無効化の少なくともいずれかを実行することを含む。
【００１８】
本開示の例によれば、受信したメッセージに従って無線ベアラのための暗号化の有効化又は無効化の少なくともいずれかを実行することが、メッセージが無線ベアラのための暗号化コンフィグ設定を含む場合に、そのメッセージに含まれる暗号化コンフィグ設定に従って無線ベアラのための暗号化の有効化又は無効化の少なくともいずれかを実行することと、メッセージが無線ベアラのための暗号化コンフィグ設定を含まない場合に、無線ベアラのための参照暗号化コンフィグ設定に従って無線ベアラのための暗号化の有効化又は無効化の少なくともいずれかを実行することを含む。
【００１９】
本開示の例によれば、メッセージによって設定される無線ベアラが無線デバイスのための現在の設定の一部でない場合に、参照暗号化コンフィグ設定は、デフォルトの暗号化コンフィグ設定を含んでもよく、メッセージによって設定される無線ベアラが無線デバイスのための現在の設定の一部である場合に、参照暗号化コンフィグ設定は、その無線ベアラのための既存の暗号化コンフィグ設定を含んでもよい。
【００２０】
本開示の例によれば、メッセージは、（例えばＬＴＥにおける）無線リソース制御コネクションリコンフィギュレーションメッセージ又は（例えばＮＲにおける）無線リソース制御リコンフィギュレーションメッセージを含みうる。
【００２１】
本開示の例によれば、無線ベアラに対する暗号化コンフィグ設定のためのメッセージを確認することは、RadioBearerConfig情報要素内の情報要素を確認することを含みうる。
【００２２】
本開示の例によれば、メッセージは、無線デバイスのための複数の無線ベアラを設定してもよく、無線ベアラに対する暗号化コンフィグ設定のためのメッセージを確認することは、無線ベアラに固有の情報要素を確認することを含みうる。
【００２３】
本開示の例によれば、無線ベアラに固有の情報要素は、pdcp-Configを含みうる。
【００２４】
本開示の例によれば、無線ベアラに固有の情報要素は、データ無線ベアラに対してDRB-ToAddMod情報要素を含み、シグナリング無線ベアラに対してSRB-ToAddMod情報要素を含みうる。
【００２５】
本開示の例によれば、無線ベアラに対する暗号化コンフィグ設定のためのメッセージを確認することは、情報要素のエクステンションマーカの後を確認することを含みうる。
【００２６】
本開示の例によれば、暗号化コンフィグ設定は、暗号化が有効化されるべきか無効化されるべきかを示す単一ビットを含んだオプションのパラメータを含みうる。
【００２７】
本開示の例によれば、無線ベアラに対する暗号化コンフィグ設定をメッセージに含めることが、情報要素のエクステンションマーカの前に暗号化コンフィグ設定を含めることを含んでもよく、暗号化コンフィグ設定は、Optional Enumerated (enabled) - Need Rパラメータを含みうる。
【００２８】
本開示の例によれば、メッセージが無線デバイスのために複数の無線ベアラを設定してもよく、無線ベアラに対する暗号化コンフィグ設定のためのメッセージを確認することは、そのメッセージによって設定されるすべての無線ベアラに適用可能な情報要素を確認することを含みうる。
【００２９】
本開示の例によれば、メッセージによって設定される全ての無線ベアラに適用可能な情報要素は、SecurityConfig情報要素を含みうる。
【００３０】
本開示の例によれば、無線ベアラに対する暗号化コンフィグ設定のためのメッセージを確認することは、メッセージによって設定された無線ベアラのための暗号化コンフィグ設定のリストをチェックすることを含みうる。
【００３１】
本開示の例によれば、リストは、無線ベアラアイデンティティごとに暗号化コンフィグ設定を特定しうる。
【００３２】
本開示の例によれば、リストは、暗号化コンフィグ設定が参照暗号化コンフィグ設定とは異なるベアラのための、暗号化コンフィグ設定のみを含みうる。
【００３３】
本開示の例によれば、無線ベアラは、プロトコルデータユニット（ＰＤＵ）セッションに関連付けられてもよく、無線ベアラに対する暗号化コンフィグ設定のためのメッセージを確認することは、そのＰＤＵセッションに関連付けられたすべての無線ベアラへの適用のための暗号化コンフィグ設定に対する確認を含みうる。
【００３４】
本開示の別の態様によれば、基地局によって実行される、無線デバイスによる使用のための無線リソースを設定するための方法が提供される。本方法は、無線デバイスによる使用のための無線ベアラを設定するメッセージを生成することと、無線ベアラのための暗号化を有効化又は無効化する暗号化コンフィグ設定をメッセージに含めることと、メッセージを無線デバイスへ送信することとを含む。
【００３５】
本開示の例によれば、本方法は、さらに、無線ベアラのための暗号化コンフィグ設定を、その無線ベアラのための参照暗号化コンフィグ設定と比較することと、暗号化コンフィグ設定が参照暗号化コンフィグ設定と異なる場合にのみ、生成されたメッセージに無線ベアラのための暗号化コンフィグ設定を含めることとをさらに含みうる。
【００３６】
本開示の例によれば、メッセージによって設定された無線ベアラが無線デバイスのための現在の設定の一部でない場合に、参照暗号化コンフィグ設定がデフォルトの暗号化コンフィグ設定を含んでもよく、メッセー委によって設定された無線ベアラが無線デバイスのための現在の設定の一部である場合に参照暗号化コンフィグ設定は、その無線ベアラのための既存の暗号化コンフィグ設定を含みうる。
【００３７】
本開示の例によれば、メッセージは、無線リソース制御（ＲＲＣ）リコンフィギュレーションメッセージを含みうる。
【００３８】
本開示の例によれば、無線ベアラのための暗号化コンフィグ設定をメッセージに含めることは、RadioBearerConfig情報要素の内部の情報要素に暗号化コンフィグ設定を含めることを含みうる。
【００３９】
本開示の例によれば、メッセージは、無線デバイスのための複数の無線ベアラを設定してもよく、無線ベアラのための暗号化コンフィグ設定をメッセージに含めることは、無線ベアラに固有の情報エレメントに暗号化コンフィグ設定を含めることを含みうる。
【００４０】
本開示の例によれば、無線ベアラに固有の情報要素は、pdcp-Configを含みうる。
【００４１】
本開示の例によれば、無線ベアラに固有の情報要素は、データ無線ベアラのためのDRB-ToAddMod情報要素と、シグナリング無線ベアラのためのSRB-ToAddMod情報要素を含みうる。
【００４２】
本開示の例によれば、無線ベアラのための暗号化コンフィグ設定をメッセージに含めることは、情報要素のエクステンションマーカの後に暗号化コンフィグ設定を含めることを含みうる。
【００４３】
本開示の例によれば、暗号化コンフィグ設定は、暗号化が有効化されるべきか無効化されるべきかを示す単一ビットを含んだオプションのパラメータを含んでもよい。
【００４４】
本開示の例によれば、無線ベアラのための暗号化コンフィグ設定をメッセージに含めることは、情報要素のエクステンションマーカの前に暗号化コンフィグ設定を含めることを含んでもよく、暗号化コンフィグ設定は、Optional Enumerated (enabled) - Need Rパラメータを含みうる。
【００４５】
本開示の例によれば、メッセージは、ＵＥのために複数の無線ベアラを設定してもよく、無線ベアラのための暗号化コンフィグ設定をメッセージに含めることは、メッセージによって設定されるすべての無線ベアラに適用可能な情報要素に暗号化コンフィグ設定を含めることを含みうる。
【００４６】
本開示の例によれば、メッセージによって設定されるすべての無線ベアラに適用可能な情報要素は、SecurityConfig情報要素を含みうる。
【００４７】
本開示の例によれば、無線ベアラのための暗号化コンフィグ設定をメッセージに含めることは、メッセージによって設定されたすべての無線ベアラのための暗号化コンフィグ設定のリストを含めることを含みうる。
【００４８】
本開示の例によれば、リストは、無線ベアラアイデンティティごとの暗号化コンフィグ設定を特定しうる。
【００４９】
本開示の例によれば、リストは、暗号化コンフィグ設定が参照暗号化コンフィグ設定と異なるベアラのための暗号化コンフィグ設定のみを含みうる。
【００５０】
本開示の例によれば、無線ベアラは、プロトコルデータユニット（ＰＤＵ）セッションに関連付けられてもよく、無線ベアラのための暗号化コンフィグ設定をメッセージに含めることは、そのＰＤＵセッションに関連付けられたすべての無線ベアラへの適用のための暗号化コンフィグ設定を含めることを含みうる。
【００５１】
本開示の別の態様によれば、無線デバイスにおける無線リソースを管理するためのその無線デバイスが提供される。無線デバイスは、ここで開示される態様、例、又は実施形態のいずれかに従う方法のステップのいずれかを実行するように構成された処理回路と、無線デバイスに電力を供給するように構成された電源回路とを含む。
【００５２】
本開示の別の態様によれば、無線デバイスによる使用のための無線リソースを設定するための基地局が提供される。基地局は、ここで説明される態様、例又は実施形態のいずれかに従う方法のステップのいずれかを実行するように構成された処理回路と、基地局へ電力を供給するように構成された電源回路とを含む。
【００５３】
本開示の別の態様によれば、無線デバイスにおける無線リソースを管理するためのユーザ端末（ＵＥ）が提供される。ＵＥは、無線信号を送信し受信するように構成されたアンテナと、アンテナに接続され、処理回路に接続され、アンテナと処理回路との間で伝達される信号を調整するように構成された無線フロントエンド回路と、を含み、処理回路は、ここで開示される態様、例又は実施形態のいずれかに従う方法のステップのいずれかを実行するように構成される。ＵＥは、処理回路に接続され、処理回路によって処理されるべき情報のＵＥへの入力を可能とするように構成された入力インタフェースと、処理回路に接続され、処理回路によって処理された情報をＵＥから出力するように構成された出力インタフェースと、処理回路に接続され、ＵＥに電力を供給するように構成されたバッテリをさらに含む。
【図面の簡単な説明】
【００５４】
本発明のより良い理解のために、そして、それがどのように実施されるかをより明確に示すために、例として、以下の図面を参照する。
【図１】図１は、平文を暗号化するための暗号化アルゴリズムＥＥＡの使用を示す図である。
【図２】図２は、メッセージの完全性を認証するための完全性アルゴリズムＥＩＡの使用を示す図である。
【図３】図３は、本開示の例に従うユーザ端末の振る舞いを示すフローチャートである。
【図４】図４は、無線ネットワークを示す図である。
【図５】図５は、ユーザ端末を示す図である。
【図６】図６は、仮想化環境を示す図である。
【図７】図７は、ホストコンピュータに、中間ネットワークを介して接続される電気通信ネットワークを示す図である。
【図８】部分的に無線通信で基地局を介してユーザ端末と通信するホストコンピュータを示す図である。
【図９】通信システムにおいて実行される方法を示す図である。
【図１０】通信システムにおいて実行される方法を示す図である。
【図１１】通信システムにおいて実行される方法を示す図である。
【図１２】通信システムにおいて実行される方法を示す図である。
【図１３】本開示のいくつかの実施形態に従う方法を示す図である。
【図１４】本開示のいくつかの実施形態に従う仮想化装置を示す図である。
【図１５】本開示のいくつかの実施形態に従う方法を示す図である。
【図１６】本開示のいくつかの実施形態に従う仮想化装置を示す図である。
【発明を実施するための形態】
【００５５】
ここで検討される実施形態のいくつかについて、添付の図面を参照してより十分に説明する。しかしながら、他の実施形態が、ここで開示される主題の範囲内に含まれ、開示される主題がここで説明される実施形態のみに限定されるように解されるべきでなく、むしろ、これらの実施形態は、当業者に本主題の範囲を伝達するための例として提供されている。
【００５６】
以下では、いくつかのメッセージ及び情報要素が開示される。可読性を向上させるために、そのメッセージ及び情報要素の内容の一部を削除し、「[…]」によって置き換えている。
【００５７】
上述のように、ＮＲに対して、暗号化及び完全性保護が少なくとも各ＰＤＵセッションのために、そして場合によっては各ＤＲＢのために構成可能であるべきであるということが合意されている。以下のことが、今まで以上に詳しく決定されている（３ＧＰＰ  ＴＳ３３．５０１、Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ｓｅｃｕｒｉｔｙ  ａｒｃｈｉｔｅｃｔｕｒｅ  ａｎｄ  ｐｒｏｃｅｄｕｒｅｓ  ｆｏｒ  ５Ｇ  ｓｙｓｔｅｍ（リリース１５）、ｖ１．０．０、２０１８年３月を参照）：
−ＵＥとｇＮＢとの間のユーザデータの機密性保護の使用はオプションである。
−ＲＲＣシグナリングの機密性保護の使用はオプションである。
−法規が容認する限りは機密性保護を使用すべきである。
−ＵＥとｇＮＢとの間の完全性保護の使用はオプションであり、ＮＩＡ０を使用してはならない。
【００５８】
ユーザプレーンの完全性保護は、パケットサイズにオーバヘッドを追加し、ＵＥとｇＮＢの両方において処理負荷を増大させる。ＮＩＡ０は、セキュリティの利点なく、３２ビットのＭＡＣの不必要なオーバヘッドを追加する。
【００５９】
３ＧＰＰ  ＴＳ３８．３３１、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＮＲ；  Ｒａｄｉｏ  Ｒｅｓｏｕｒｃｅ  Ｃｏｎｔｒｏｌ  （ＲＲＣ）  ｐｒｏｔｏｃｏｌ  ｓｐｅｃｉｆｉｃａｔｉｏｎ、ｖ１５．１．０、２０１８年３月において、例外として明確にリスト化されているものを除く全てのＲＲＣシグナリングメッセージは、完全性保護されなければならない。
【００６０】
さらに、以下のことが合意されている：
ＮＧ−ＥＮ−ＤＣ及びＮＥ−ＤＣおよびＮＲ  ＳＡに対する合意：
−ＵＰ完全性保護は、無線ベアラごと（すなわちＤＲＢごと）に設定可能であること。
追加の合意：
−保護される完全性がＰＤＵセッションに適用されるならば、それはそのＰＤＵセッションの全てのＤＲＢに適用される。
−暗号化がＰＤＵセッションに適用されるならば、それはそのＰＤＵセッションの全てのＤＲＢに適用される。
【００６１】
シグナリングは、ＤＲＢ及びネットワーク設定によって確保される上述の制限ごとでありうる。
【００６２】
ＴＳ３８，３３１において、完全性保護のコンフィグが、以下に示すように、ＤＲＢのためのpdcp-Config情報要素に導入されることが提案されている：
2021520687.tif 000003
上述のPDCP-Config IEにおける、フィールドintegrityProtectionのフィールド説明は以下の通りである：
integrityProtection
この無線ベアラに対して完全性保護が設定されるか否かを示す。ＤＲＢに対するintegrityProtectionの値は、同期リコンフィギュレーション（reconfiguration with sync）を用いてのみ変更可能である。
【００６３】
完全性保護は、pdcp-config IEにおいてＤＲＢごとに設定することが既に可能である。
【００６４】
本開示の例によれば、ＤＲＢとＳＲＢの両方を含んだ無線ベアラのための暗号化を有効化又は無効化するための、新しいパラメータ、又は、コンフィグ設定が、pdcp-Config情報要素に含められうる。これは、以下に示すように、暗号化コンフィグ及びリコンフィグを可能としうる。
2021520687.tif 000004
【００６５】
上述のpdcp-Config IEにおける「ciphering」フィールドは、この無線ベアラに対して暗号化が有効化されるか否かを示す。いくつかの例では、無線ベアラに対するcipheringの値は、同期リコンフィギュレーションを用いてのみ変更されうる。本フィールドが含まれていない場合は、ＵＥは、現在設定されている暗号化コンフィグの使用を継続しうる。本フィールドがＮＲ  ＰＤＣＰへの無線ベアラのセットアップ又は再設定の間に含まれない場合、ＵＥは、デフォルトの暗号化コンフィグを適用しうる。ＰＤＵセッション内のすべてのＤＲＢが、暗号化の同一のコンフィグを有しうる。
【００６６】
本開示のいくつかの例において、新しいcipheringパラメータを（後方互換性のないＩＥを与える）エクステンションマーカの前に含めることができる場合、これがそのエクステンションマーカに関連するオーバヘッドを被らないように、（図に示すように）オプションのBooleanパラメータに代えて、Enumerated (enabled)パラメータとして含められうる。
【００６７】
本開示の所定の例によれば、各無線ベアラの変更の間に暗号化設定を変更することが可能であるが、これは、（様々なＩＥを参照して以下でさらに詳細に議論するように）設定される全ての無線ベアラに対するpdcp-Config IEにおける追加のビットをもたらす。起こり得るシナリオは、ＵＥが、セキュリティ設定で初期的にコンフィグされ、稀にのみこの設定を変更することを必要とすることである。したがって、本開示のいくつかの例は、暗号化設定がＵＥのために既に設定されている無線ベアラに対するデフォルトの設定又は既存の設定でありうる参照設定と異なるというイベント時にのみ、その暗号化設定をシグナリングすることを提案している。この状況において、現在のセキュリティコンフィグを維持するためのシグナリングオーバヘッドは最小化されうる。さらに、大多数のＵＥは、ＬＴＥにおけるものと同一のコンフィグ、すなわち、ＤＲＢ及びＳＲＢのために有効化された暗号化を使用する可能性が高い。ほんのわずかのＵＥのみが、場合によっては無線ベアラのサブセットに対してのみ、暗号化を使用しないように設定する必要があるかもしれない。したがって、本開示のいくつかの例は、暗号化の有効化がデフォルトの暗号化コンフィグであることを提案する。本開示のさらなる例によれば、代替的に、暗号化が有効化されないことがデフォルトコンフィグとして使用されてもよい。
【００６８】
非デフォルト設定が要求されうる１つのシナリオは、データパケットがエンドノードのＰＤＣＰによって既に保護されているため、バックホールリンクのベアラ上で暗号化が無効化されることが望ましい場合がある、Ｉｎｔｅｇｒａｔｅｄ  Ａｃｃｅｓｓ  Ｂａｃｋｈａｕｌｉｎｇの場合でありうる。そのほかの場合、各無線ベアラのコンフィグは、設定されたＤＲＢごとに少なくとも追加の１６ビットを誘引する、ＩＥに対する拡張としてパラメータを追加する必要があり得る。
【００６９】
暗号化設定が既存の又はデフォルトのコンフィグと異なる場合にのみシグナリングされる本開示の例に従って、暗号化設定が、オプションの拡張として含められてもよく、含められない場合にはコンフィグが維持される。ＮＲ  ＰＤＣＰへの無線ベアラのセットアップ又はリコンフィグの間に、ＵＥは、出オフトのコンフィグ（例えば、暗号化の有効化）を使用しうる。
【００７０】
このように、本開示のある例によれば、暗号化パラメータが、pdcp-Configへの拡張として追加される場合、これは、いくつかの例において、ＵＥがデフォルトの設定（例えば暗号化の有効化）を使用すべきでない場合のセットアップの間、そして、ＵＥが暗号化設定を変更すべき場合のリコンフィグの間にのみ、含められてもよい。
【００７１】
本開示の１つの例によれば、３ＧＰＰ  ＴＳ３８．３３１、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  ＮＲ；  Ｒａｄｉｏ  Ｒｅｓｏｕｒｃｅ  Ｃｏｎｔｒｏｌ  （ＲＲＣ）  ｐｒｏｔｏｃｏｌ  ｓｐｅｃｉｆｉｃａｔｉｏｎ、ｖ１５．１．０、２０１８年３月の本文が、以下に示すように変更されうる。
【００７２】
５．３．５．６．５  ＤＲＢの追加／変更
ＵＥは、以下の通りにしなければならない：
１＞現在のＵＥコンフィグ（フルコンフィグオプションが用いられる場合を含むＤＲＢ確立）の一部でないdrb-ToAddModListに含まれる各drb-Identityの値に対して、
２＞受信したpdcp-Configに従って、ＰＤＣＰエンティティを確立して、それを設定する；
２＞pdcp-configにcipheringが含められている場合、
３＞受信したcipheringの値を記憶する；
２＞そうでない場合、
３＞cipheringの値を有効（enabled）に設定する；
２＞cipheringが有効である場合、
３＞securityConfigに従って暗号化アルゴリズムを用いてこの無線ベアラのＰＤＣＰエンティティを設定し、keyToUseに示されているＫeNB／Ｓ−ＫgNBと関連付けられた鍵（ＫUPenc）を適用する；
２＞そうでない場合、
３＞暗号化アルゴリズムを適用しないようにこの無線ベアラのＰＤＣＰエンティティを設定する；
２＞integrityProtectionが有効である場合、
３＞securityConfigに従って完全性保護アルゴリズムを用いてこの無線ベアラのＰＤＣＰエンティティを設定し、keyToUseに示されているＫeNB／Ｓ−ＫgNBと関連付けられた鍵（ＫUPint）を適用する；
２＞そうでない場合、
３＞完全性保護アルゴリズムを適用しないようにこの無線ベアラのＰＤＣＰエンティティを設定する；
２＞このリコンフィギュレーションを受信するのに先立って、ＮＲ又はＥ−ＵＴＲＡのいずれかによって、同一のeps-BearerIdentityでＤＲＢが設定された場合、
３＞確立されたＤＲＢを、対応するeps-BearerIdentityと関連付ける；
２＞そうでない場合、
３＞ＤＲＢの確立と、確立されたＤＲＢのeps-BearerIdentityとを上位レイヤに示す；
１＞現在のＵＥコンフィグの一部であるdrb-ToAddModListに含まれる各drb-Identityの値に対して、
２＞reestablishPDCPがセットされている場合、
３＞pdcp-configにcipheringが含められている場合、
４＞受信したcipheringの値を記憶する；
３＞そうでない場合、
４＞cipheringの値を有効に設定する；
３＞cipheringが有効に設定されている場合、
４＞暗号化アルゴリズムを適用するようにこの無線ベアラのＰＤＣＰエンティティを設定し、keyToUseに示されているＫeNB／Ｓ−ＫgNBと関連付けられたＫUPenc鍵、すなわち、暗号化コンフィグが、そのＵＥによって受信及び送信される全ての後続のＰＤＣＰ  ＰＤＵに適用されなければならない；
３＞そうでない場合、
４＞暗号化コンフィグを適用しないようにこの無線ベアラのＰＤＣＰエンティティを設定する；
３＞integrityProtectionが有効である場合、
４＞完全性保護アルゴリズムを適用するようにこの無線ベアラのＰＤＣＰエンティティを設定し、keyToUseに示されているＫeNB／Ｓ−ＫgNBと関連付けられたＫUPint鍵、すなわち、完全性保護コンフィグが、そのＵＥによって受信及び送信される全ての後続のＰＤＣＰ  ＰＤＵに適用されなければならない；
３＞そうでない場合、
４＞完全性保護コンフィグを適用しないようにこの無線ベアラのＰＤＣＰエンティティを設定する；
３＞３８．３２３［５］の５．１．２節に特定されているように、このＤＲＢのＰＤＣＰエンティティを再確立する；
２＞そうでない場合で、recoverPDCPが設定されている場合、
３＞３８．３２３に特定されているようにデータリカバリを実行することをこのＤＲＰのＰＤＣＰエンティティにトリガする；
２＞pdcp-Configが含められている場合、
３＞受信したpdcp-Configに従って、ＰＤＣＰエンティティを再構成する。
注記１：単一のradioResourceConfigにおける同一のdrb-Identityの削除及び追加はサポートされていない。同期リコンフィギュレーション又はフルコンフィグオプション付き再確立（re-establishment with the full configuration option）によってdrb-Identityが削除または追加される場合、ネットワークは同じ値のdrb-Identityを使用することができる。
注記２：drb-Identityの値が現在のＵＥコンフィグの一部であるかの判定の際に、ＵＥは、RadioBearerConfigとDRB-ToAddModListとのいずれにおいてＤＲＢが元々設定されたのかを区別しない。ＤＲＢを異なる鍵（ＫeNBからＳ−ＫgNBへ、又はその逆へ）と関連付けるため、又は、セキュリティコンフィグの適用を変更するために、ネットワークは、（ターゲットの）drb-ToAddModList内にdrb-Identityの値を与え、reestablishPDCPフラグを設定する。ネットワークは、（ソースの）drb-ToReleaseListにおいて、そのdrb-Identityをリスト化しない。
注記３：無線ベアラに対してreestablishPDCPフラグを設定する際に、ネットワークは、必ず、ＲＬＣレシーバエンティティが、その確立されたＰＤＣＰエンティティへ古いＰＤＣＰ  ＰＤＵを届けないようにする。例えば、古いＲＬＣエンティティをホストするセルグループの同期リコンフィギュレーションをトリガすることにより、又は、古いＲＬＣエンティティを解放することにより、それが行われる。
注記４：この規格において、ＵＥコンフィグは、別途減給のない限り、ＮＲ  ＲＲＣによって設定されたパラメータを参照する。
【００７３】
本開示の例によれば、３ＧＰＰ  ＴＳ３８．３３１の本文は、上述のように、「ciphering」フィールドを含んだpdcp-Config情報要素を説明するためにさらに変更されうる。
【００７４】
本開示の別の例によれば、ＤＲＢのための暗号化を有効化及び／又は無効化するための設定が、RadioBearerConfig IEの内部のDRB-ToAddMod情報要素において届けられうる。
【００７５】
以下に、３ＧＰＰ  ＴＳ３８．３３１（ｖ１５．１．０）に定義されている現在のDRB-ToAddMod IEを示す：
2021520687.tif 000005
【００７６】
pdcp-Config IEにcipheringパラメータを追加することに関して、DRB-ToAddMod IEに新しいフィールドを追加するために、そのパラメータは、非後方互換のメッセージを与えるエクステンションマーカ（省略記号「…」）の前に配置されてもよく、エクステンションマーカの後に直接配置されてもよい。追加されるフィールドがエクステンションマーカの後に配置される場合、エクステンションの長さを説明する追加の１６ビット（２オクテット）が導入される。これらの追加の１６ビットは、ＡＳＮ．１コンパイラを用いてメッセージがコンパイルされる際に生成される。追加されるパラメータは、エクステンションマーカに起因するビットの先頭に追加のビットを追加するだろう。DRB-ToAddMod IEがＤＲＢごとであるため、このオーバヘッドは、ＤＲＢごとである（ＮＲでは、現在、２９ＤＲＢでＵＥを設定可能であり、これはエクステンションマーカが４６４ビットまでメッセージサイズを増加させることを意味する）。しかしながら、この開示の例では、追加のパラメータをオプションとすることを提案しており、これは、ネットワークが設定を変更する必要がない場合には、エクステンションマーカに起因してエクストラビットが追加されることはないことを意味する。これを以下に示す。
2021520687.tif 000006
【００７７】
エクステンションは、例えばuseCipheringと名付けられたパラメータを含む。本パラメータはBooleanであり、ｔｒｕｅに設定された場合には暗号化が有効化され、ｆａｌｓｅに設定された場合には暗号化が無効化される。例えばcipheringDisabledなどの、ｔｒｕｅ又はｆａｌｓｅに設定されうる、他のパラメータ名が想定されうる。パラメータがpdcp-Config IEに追加される例に関して上述したように、パラメータはオプションである。パラメータが含められていない場合、ＵＥは、以前の設定を使用し続けるべきである。さらに、これも上述したように、さらに一層性能を最適化するために、新しいベアラの初期セットアップにおいて使用されうる、本パラメータのデフォルト値を定義することを提案する。この方法では、デフォルトの設定が用いられるべき場合に初期セットアップにおいてパラメータをシグナリングする必要はない（例えば、デフォルト設定はuseCipheringがｔｒｕｅでありうる）。デフォルトの設定は、標準において定義されうる。これについて、以下でさらに説明する。
【００７８】
新しいパラメータがRadioBearerConfigメッセージに含められる場合、エクステンションマーカは、（再）設定されるべき各ＤＲＢに対する１６ビット、および、（オプションのフラグに起因して）変更されないパラメータに対する１ビットと変更されるパラメータに対する２ビットを追加する。そして、パラメータが変更される場合、メッセージは、設定を変更する必要のある各ＤＲＢに対して１８ビットだけ増加される。ＵＥの大部分が有効化された暗号化を伴う同一の設定を使用する可能性が高いため、セットアップ又は再構成される各ＤＲＢに対してこれらの設定をコンフィグすることは煩雑である。その代わりに、この共通の設定をデフォルトの設定にして、セットアップの間にパラメータが含まれない場合にＵＥがそのデフォルトの設定を適用するようにしてもよい。さらに、ＵＥが以前にこのパラメータの特定の設定でコンフィグされていた場合、（例えばハンドオーバや終端点の変更の間に）ＤＲＢが変更されるときに、ＵＥは、そのパラメータが含まれていないならば、その以前の設定を使用し続けてもよい。このＵＥの振る舞いを、例示のパラメータ名「useCiphering」を用いて、図３のフローチャートに図解する。もし存在してｔｒｕｅであるならば暗号が使用されるべきでないことを示す「cipheringDisabled」などの他の例示のパラメータ名に対して、対応する手順が従いうることが十分に理解されるだろう。
【００７９】
デフォルト設定を適用することを可能とするために、この設定が特定されうる。これは、フィールドの説明にそれを含めることにより、又は、推奨の設定を３ＧＰＰ  ＴＳ３８．３３１の９．２節（デフォルト無線コンフィグ）に含めることにより、行われうる。現在、デフォルトのＳＲＢコンフィグの身が含められている。
【００８０】
上述のように、デフォルトのコンフィグのありうる候補は、ＬＴＥからのベースラインのまま、暗号化を有効化することであろう。したがって、異なるコンフィグを必要とするだろう少数のＵＥは、設定される必要があろう：
2021520687.tif 000007
【００８１】
本開示の別の例では、暗号化のための設定が、別のＩＥに、又は、DRB-ToAddModコンフィグの一部ではない別個のＩＥとして含められうる。いくつかの従属例が以下に示すように考えられる。
【００８２】
第１の従属例において、全てのベアラに対して同一の設定が使用されうる。この場合、useCipheringパラメータの１つのインスタンスのみが追加されうるため、オーバヘッドが削減される。難点は、運用の目的のために要求されうる異なるＤＲＢに対して異なる設定を適用することができないことである。
【００８３】
本開示の１つの例では、パラメータが、設定された全てのベアラに適用されるSecurityConfigに追加されうる。
2021520687.tif 000008
【００８４】
別の従属例では、セキュリティ設定の別個のリストがシグナリングされうる。この場合、リストの各エレメントは、useCipheringに対するＤＲＢ設定を含み、ＤＲＢ  ＩＤと関連付けられうる。その関連付けは、ＤＲＢ  ＩＤをシグナリングすることによって又はリスト内の第１のセキュリティコンフィグエレメントをＤＲＢリスト（例えばDRB-ToAddModList）上の第１のＤＲＢと関連付けることにより、管理されうる。したがって、無線ベアラのアイデンティティは、セキュリティ設定のリストに明示的に含められてもよいし、メッセージにおける他の部分に含まれる無線ベアラのリストと整合させるためにセキュリティ設定のリストを順序付けることにより目次的に含められてもよい。このような無線ベアラのリストの例は、DRB-ToAddModListや（以下でさらに詳細に議論するように、ＳＲＢのための）SRB-ToAddModListのリストを含む。この従属例の利点は、各ＤＲＢに対するエクステンションマーカを使用することが要求されないことである。
【００８５】
１つの例では、リストがSecurityConfigに付加され、いずれのベアラが影響を受けるかを特定しうる。
2021520687.tif 000009
【００８６】
この場合、非デフォルトのコンフィグを有するべきＤＲＢのみが、シグナリングされる。しかしながら、ＤＲＢが非デフォルトの設定を有すべき場合、SecurityConfigにおけるエクステンションマーカが、設定を変更すべきＤＲＢの数によらず、１６ビットを追加する。
【００８７】
別の従属例では、コンフィグがＰＤＵセッションごとに１度だけシグナリングされるように、ＰＤＵセッションアイデンティティによって区別されるＩＥにコンフィグが含められてもよい。ＤＲＢのための暗号化及び／又は完全性保護の変化のすべてが同一のＰＤＵセッションに関連付けられたＤＲＢに等しく適用されるべきであることがＲＡＮ２において合意されているため、代わりに、ＰＤＵセッションごとに１度このコンフィグを設定することが可能でありうる。これは、以下に示すように別個のＩＥに（又は別のＩＥの内部に）、キャプチャされてもよい。このＩＥは、例えば、RRCReconfigurationから呼び出されうる。
2021520687.tif 000010
【００８８】
この場合、useCipheringパラメータはオプションではない。それをオプションとすると、オプションフラグのために１ビットが追加されうる。以下に、重大でない拡張を用いたRRCReconfiguationからのこの呼び出しの例を示す。
2021520687.tif 000011
【００８９】
ここで、コンフィグは、全てのＰＤＵセッション、または、暗号化のための非デフォルト設定を有するＰＤＵセッションのみのいずれかを含みうる。
【００９０】
別の従属例では、コンフィグは、ＳＤＡＰ  ＩＥに含められうる。ＳＤＡＰレイヤは、５ＧＣに接続するＤＲＢのためのDRB-ToAddMod IEの内部において設定される。SDAP-Configの内部で、コンフィグは、いずれのＰＤＵセッションがＳＤＡＰレイヤと関連付けられるかを示す。
2021520687.tif 000012
【００９１】
SDAP-Configの内部で、コンフィグは、いずれのＰＤＵセッションにＳＤＡＰレイヤが関連付けられているかを示す。SDAP-Configが従来のリリースの一部ではない（すなわち、ＥＮ−ＤＣに適用可能でない）ため、エクステンションマーカの前にパラメータを追加する可能性がある。
2021520687.tif 000013
【００９２】
本開示のさらなる例において、暗号化は、対応するＩＥ、例えばＩＥ、SRB-ToAddModに対する先の例におけるものと同一又は同様のフィールドを導入することにより、シグナリング無線ベアラ（ＳＲＢ）に対してオプションにされてもよい。
【００９３】
図４は、いくつかの実施形態による無線ネットワークを図解している。ここで説明される主題は、任意の適切なコンポーネントを有する任意の適切な種類のシステムにおいて実装されうるが、ここで開示される実施形態については、図４に図解される例示の無線ネットワークなどの無線ネットワークに関連して説明する。簡単にするために、図４の無線ネットワークは、ネットワーク４０６、ネットワークノード４６０並びに４６０ｂ、およびＷＤ４１０、４１０ｂ並びに４１０ｃのみを描画している。実際には、無線ネットワークは、無線デバイス間、又は、無線デバイスと有線電話等の別の通信デバイス、サービスプロバイダ、又は任意の他のネットワークノードやエンドデバイスとの間の、通信をサポートするのに適した任意の追加のエレメントを含みうる。図解されたコンポーネントのうち、ネットワークノード４６０と無線デバイス（ＷＤ）４１０については、さらなる詳細を伴って描画している。無線ネットワークは、無線デバイスの無線ネットワークへのアクセス、及び／又は、無線ネットワークによって又はそれを介して提供されるサービスの使用を促進するために、１つ以上の無線デバイスに対して通信及び他の種類のサービスを提供しうる。いくつかの例では、ＷＤ４１０、４１０ｂ及び４１０ｃは、先に説明され図解された及び以下の実施形態において説明される無線デバイス又はＵＥと同様に動作しうる。いくつかの例では、ネットワークノード４６０および４６０ｂが、先に説明された及び以下の実施形態で説明される基地局と同様に動作しうる。
【００９４】
無線ネットワークは、任意の種類の通信、電気通信、データ、セルラ、及び／又は無線ネットワーク又は他の同様の種類のシステムを含み、及び／又は、それにインタフェース接続しうる。いくつかの実施形態において、無線ネットワークは、特定の標準又は他の種類の所定のルールや手順に従って動作するように構成されうる。このように、無線ネットワークの特定の実施形態は、移動通信用グローバルシステム（ＧＳＭ）、ユニバーサル移動通信システム（ＵＭＴＳ）、ロングタームエボリューション（ＬＴＥ）並びに／もしくは他の適切な２Ｇ、３Ｇ、４Ｇもしくは５Ｇの標準などの通信標準、ＩＥＥＥ８０２．１１標準などの無線ローカルエリアネットワーク（ＷＬＡＮ）標準、及び／又は、全世界相互運用マイクロ波アクセス（ＷｉＭａｘ）、Ｂｌｕｅｔｏｏｔｈ、Ｚ−Ｗａｖｅ、並びに／もしくはＺｉｇＢｅｅ標準などの、任意の他の適切な無線通信標準を実装しうる。
【００９５】
ネットワーク４０６は、デバイス間の通信を可能とする、１つ以上のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、および他のネットワークを含みうる。
【００９６】
ネットワークノード４６０およびＷＤ４１０は、以下でより詳細に説明される様々なコンポーネントを有する。これらのコンポーネントは、無線ネットワークにおける無線接続を提供することなどの、ネットワークノード及び／又は無線デバイスの機能性を提供するために協働する。様々な実施形態において、無線ネットワークは、有線接続と無線接続とのいずれかを介してデータ及び／又は信号の通信を促進し又はそれに参加しうる、任意の数の有線又は無線ネットワーク、ネットワークノード、基地局、コントローラ、無線デバイス、中継局、及び／又は任意の他のコンポーネントもしくはシステムを有しうる。
【００９７】
ここで使用されるように、ネットワークノードは、無線デバイスへの無線アクセスを可能とする並びに／もしくは提供するために、及び／又は、無線ネットワークにおける他の機能（例えば管理）を実行するために、無線ネットワークにおける無線デバイスと、及び／又は、他のネットワークノード又は設備と、直接または間接的に通信することが可能な、そのように構成された、そのように配置された、並びに／もしくはそのように動作可能な設備を指す。ネットワークノードの例は、アクセスポイント（ＡＰ）（例えば無線アクセスポイント）、基地局（ＢＳ）（例えば、無線基地局、ノードＢ、エボルブドノードＢ（ｅＮＢ）及びＮＲノードＢ（ｇＮＢ））を含むが、これらに限定されない。基地局は、それらが提供するカバレッジの量（又は、言い方を変えれば、それらの送信電力レベル）に基づいてカテゴライズされ、フェムト基地局、ピコ基地局、マイクロ基地局、マクロ基地局と呼ばれうる。基地局は、リレーノード、又は、中継を制御するリレードナーノードであってもよい。また、ネットワークノードは、セントラライズドデジタルユニット、及び／又は、ときにリモート無線ヘッド（ＲＲＨ）と呼ばれるリモート無線ユニット（ＲＲＵ）などの分散無線基地局の１つ以上の（又は全ての）部分を含みうる。このようなリモート無線ユニットは、アンテナ統合無線器として、アンテナと統合されてもよいし、されなくてもよい。また、分散無線基地局の部分は、分散アンテナシステム（ＤＡＳ）におけるノードと呼ばれうる。ネットワークノードのまたさらなる例は、ＭＳＲ  ＢＳなどのマルチスタンダード無線機（ＭＳＲ）設備、無線ネットワーク制御装置（ＲＮＣ）又は基地局制御装置（ＢＳＣ）などのネットワークコントローラ、基地送受信局（ＢＴＳ）、送信点、送信ノード、マルチセル／マルチキャスト協調エンティティ（ＭＣＥ）、コアネットワークノード（例えばＭＳＣ、ＭＭＥ）、Ｏ＆Ｍノード、ＯＳＳノード、ＳＯＮノード、測位ノード（例えばＥ−ＳＭＬＣ）、及び／又はＭＤＴを含む。別の例として、ネットワークノードは、以下でより詳細に説明されるような仮想ネットワークノードであってもよい。一方で、より一般的に言えば、ネットワークノードは、無線デバイスに無線ネットワークへのアクセスを可能とする並びに／もしくは提供する、又は、無線ネットワークにアクセスした無線デバイスへいくつかのサービスを提供することが可能な、そのように構成された、そのように配置された、及び／又はそのように動作可能な任意の適したデバイス（又は一群のデバイス）を表しうる。
【００９８】
図４において、ネットワークノード４６０は、処理回路４７０、デバイス可読媒体４８０、インタフェース４９０、補助装置４８４、電源４８６、電力回路４８７、およびアンテナ４６２を含む。図４の例示の無線ネットワークに図解されているネットワークノード４６０は図解されたハードウェアコンポーネントの組み合わせを含んだデバイスを表しうるが、他の実施形態は、異なる組み合わせのコンポーネントを有するネットワークノードを含みうる。ネットワークノードは、ここで開示されるタスク、特徴、機能、及び方法を実行するのに必要なハードウェア及び／又はソフトウェアの任意の適切な組み合わせを有することが理解されるべきである。さらに、ネットワークノード４６０のコンポーネントが大きいボックス内に配置された又は複数のボックス内に入れ子にされた単一のボックスとして描画されているが、実際には、ネットワークノードは、単一の図解されたコンポーネントを作り上げる複数の異なる物理コンポーネントを有しうる（例えば、デバイス可読媒体４８０は、複数の別個のハードドライブ及び複数のＲＡＭモジュールを含みうる）。
【００９９】
同様に、ネットワークノード４６０は、それらの独自の個別のコンポーネントをそれぞれが有する、複数の物理的に分離したコンポーネント（例えばノードＢコンポーネント及びＲＮＣコンポーネント、ＢＴＳコンポーネント及びＢＳＣコンポーネントなど）からなってもよい。ネットワークノード４６０が複数の分離したコンポーネント（例えばＢＴＳ及びＴＳＣコンポーネント）を有する所定のシナリオでは、１つ以上の分離したコンポーネントが、いくつかのネットワークノード間で共有されてもよい。例えば、単一のＲＮＣが、複数のノードＢを制御しうる。このようなシナリオでは、唯一のノードＢ及びＲＮＣペアのそれぞれが、いくつかの例において、単一の別個のネットワークノードとみなされうる。いくつかの実施形態では、ネットワークノード４６０は、複数の無線アクセス技術（ＲＡＴ）をサポートするように構成されうる。このような実施形態では、いくつかのコンポーネントが重複してもよい（例えば異なるＲＡＴに対する別個のデバイス可読媒体４８０）し、いくつかのコンポーネントが再利用されてもよい（例えば、同一のアンテナ４６２が複数のＲＡＴによって共有されてもよい）。また、ネットワークノード４６０は、例えば、ＧＳＭ、ＷＣＤＭＡ、ＬＴＥ、ＮＲ、ＷｉＦｉ、又はＢｌｕｅｔｏｏｔｈ無線技術などの、ネットワークノード４６０内に集約される様々な無線技術のために、様々な説明されたコンポーネントの複数のセットを含んでもよい。これらの無線技術は、ネットワークノード４６０内の同一の又は異なるチップ、チップのセット及び他のコンポーネントに集約されうる。
【０１００】
処理回路４７０は、ネットワークノードによって提供されるとここで説明される任意の判定、計算、又は同様の動作（例えば所定の取得動作）を実行するように構成される。処理回路４７０によって実行されるこれらの動作は、例えば、取得した情報を他の情報に変換すること、取得した情報もしくは変換した情報をネットワークノードにおいて記憶されている情報と比較すること、及び／又は、取得した情報もしくは変換した情報に基づいて１つ以上の動作を実行することによって処理回路４７０により取得された、および、判定を行うその処理の結果として、処理情報を含みうる。
【０１０１】
処理回路４７０は、マイクロプロセッサ、コントローラ、マイクロコントローラ、中央演算処理装置、デジタルシグナルプロセッサ、特定用途向け集積回路、フィールドプログラマブルゲートアレイ、もしくは任意の他の適切な演算デバイスの１つ以上、リソース、又は、単独で、又は、他のデバイス可読媒体４８０などのネットワークノード４６０のコンポーネントと連結して、ネットワークノード４６０の機能を提供するように動作可能な、ハードウェア、ソフトウェア並びにもしくはエンコードされたロジックの組み合わせ、の組み合わせを含みうる。例えば、処理回路４７０は、デバイス可読媒体４８０に、又は、処理回路４７０内のメモリに、記憶された命令を実行しうる。このような機能は、ここで議論される様々な無線の特徴、機能、又は利益を提供することを含みうる。いくつかの実施形態では、処理回路４７０は、システムオンチップ（ＳＯＣ）を含みうる。
【０１０２】
いくつかの実施形態において、処理回路４７０は、無線周波数（ＲＦ）送受信器回路４７２およびベースバンド処理回路４７４を含みうる。いくつかの実施形態において、無線周波数（ＲＦ）送受信器回路４７２およびベースバンド処理回路４７４は、別個のチップ（又はチップのセット）、ボード、又は無線ユニット及びデジタルユニットなどのユニット上にあってもよい。代替的な実施形態では、ＲＦ送受信器回路４７２およびベースバンド処理回路４７４の全部または一部が、同一のチップもしくはチップのセット、ボード、又はユニット上にあってもよい。
【０１０３】
所定の実施形態では、ネットワークノード、基地局、ｅＮＢ、又は他のこのようなネットワークデバイスによって提供されるとここで説明した機能の一部または全部が、デバイス可読媒体４８０又は処理回路４７０内のメモリに記憶された命令を実行する処理回路４７０によって実行されうる。代替的な実施形態では、その機能の一部または全部が、ハードウェアに組み込まれる方法のように、別個の又は個別のデバイス可読媒体に記憶された命令を実行することなく、処理回路４７０によって提供されうる。それらの実施形態のいずれにおいても、デバイス可読媒体に記憶された命令を実行すると否とによらず、処理回路４７０は、説明された機能を実行するように構成されうる。このような機能によって提供される利益は、処理回路４７０単体に、又は、ネットワークノード４６０の他のコンポーネントに限定されず、ネットワークノード４６０によって全体として、及び／又は、広くエンドユーザおよび無線ネットワークによって享受される。
【０１０４】
デバイス可読媒体４８０は、限定なく、永続的ストレージ、ソリッドステートメモリ、遠隔マウンテッドメモリ、磁気媒体、光学媒体、ランダムアクセスメモリ（ＲＡＭ）、リードオンリーメモリ（ＲＯＭ）、大容量記憶媒体（例えばハードディスク）、リムーバブル記憶媒体（例えばフラッシュドライブ、コンパクトディスク（ＣＤ）、デジタルビデオディスク（ＤＶＤ））を含んだ揮発性又は不揮発性のコンピュータ可読メモリ、及び／又は、処理回路４７０によって使用されうる情報、データ並びに／もしくは命令を記憶する任意の他の揮発性もしくは不揮発性の、非一時的デバイス可読並びにもしくはコンピュータ実行可能なメモリデバイスの任意の形式を有しうる。デバイス可読媒体４８０は、コンピュータプログラム、ソフトウェア、１つ以上のロジック、ルール、コード、テーブルなどを含んだアプリケーション、及び／又は、処理回路４７０によって実行され、ネットワークノード４６０によって利用されることが可能な他の命令を含んだ、任意の適切な命令、データ又は情報を記憶しうる。デバイス可読媒体４８０は、処理回路４７０によって行われる任意の演算、及び／又は、インタフェース４９０を介して受信された任意のデータを記憶するのに用いられうる。いくつかの実施形態では、処理回路４７０とデバイス可読媒体４８０が、集約されると考えられうる。
【０１０５】
インタフェース４９０は、ネットワークノード４６０、ネットワーク４０６、及び／又は、ＷＤ４１０の間での、シグナリング及び／又はデータの有線もしくは無線通信に使用される。図解したように、インタフェース４９０は、例えば、有線接続を介して、ネットワーク４０６へデータを送信し及びネットワーク４０６からデータを受信するためのポート／ターミナル４９４を有する。また、インタフェース４９０は、アンテナ４６２に又は所定の実施形態ではアンテナ４６２の一部に接続されうる、無線フロントエンド回路４９２を含む。無線フロントエンド回路４９２は、フィルタ４９８および増幅器４９６を有する。無線フロントエンド回路４９２は、アンテナ４６２および処理回路４７０に接続されうる。無線フロントエンド回路は、アンテナ４６２と処理回路４７０との間で通信される信号を調整するように構成されうる。無線フロントエンド回路４９２は、無線接続を介して他のネットワークノード又はＷＤへ送出されるべきデジタルデータを受信しうる。無線フロントエンド回路４９２は、そのデジタルデータを、フィルタ４９８及び／又は増幅器４９６の組み合わせを用いて、適切なチャネル及び帯域幅パラメータを有する無線信号に変換しうる。そして、その無線信号は、アンテナ４６２を介して送信されうる。同様に、データを受信する際に、アンテナ４６２は、その後に無線フロントエンド回路４９２によってデジタルデータへと変換される無線信号を収集しうる。デジタルデータは、処理回路４７０に受け渡されうる。他の実施形態では、インタフェースは、異なるコンポーネント、及び／又は、コンポーネントの異なる組み合わせを有しうる。
【０１０６】
ある別の実施形態では、ネットワークノード４６０は、別個の無線フロントエンド回路４９２を有しなくてもよく、代わりに、処理回路４７０が、無線フロントエンド回路を有し、別個の無線フロントエンド回路４９２を用いずにアンテナ４６２に接続されてもよい。同様に、いくつかの実施形態では、ＲＦ送受信器回路４７２の全部または一部が、インタフェース４９０の一部と考えられてもよい。また別の実施形態では、インタフェース４９０は、無線ユニット（不図示）の一部として、１つ以上のポートまたはターミナル４９４、無線フロントエンド回路４９２、およびＲＦ送受信器回路４７２を含んでもよく、インタフェース４９０は、デジタルユニット（不図示）の一部であるベースバンド処理回路４７４と通信しうる。
【０１０７】
アンテナ４６２は、無線信号の送信及び／又は受信を行うように構成された、１つ以上のアンテナ、又はアンテナアレイを含みうる。アンテナ４６２は、無線フロントエンド回路４９０に接続されてもよく、データ及び／又は信号の無線での送信および受信が可能な任意の種類のアンテナでありうる。いくつかの実施形態では、アンテナ４６２は、例えば２ＧＨｚと６６ＧＨｚとの間の無線信号を送信／受信するように動作可能な、１つ以上の全方向、セクタ、又はパネルアンテナを含みうる。全方向アンテナは、任意の方向における無線信号の送信／受信を行うのに使用されてもよく、セクタアンテナは、特定のエリア内のデバイスへ無線信号を送信し、租のデバイスから無線信号を受信するのに使用されてもよく、パネルアンテナは、相対的に直線において、無線信号を送信／受信するのに使用される見通しアンテナでありうる。いくつかの例では、１つより多くのアンテナの使用が、ＭＩＭＯと呼ばれうる。ある実施形態では、アンテナ４６２は、ネットワークノード４６０と分離されてもよく、インタフェース又はポートを通じてネットワークノード４６０に接続可能でありうる。
【０１０８】
アンテナ４６２、インタフェース４９０、及び／又は処理回路４７０は、ネットワークノードによって実行されるとここで説明した任意の受信動作及び／又は所定の取得動作を実行するように構成されうる。任意の情報、データ、及び／又は信号が、無線デバイス、他のネットワークノード、及び／又は任意の他のネットワーク設備から受信されうる。同様に、アンテナ４６２、インタフェース４９０、及び／又は処理回路４７０は、ネットワークノードによって実行されるとここで説明した任意の送信動作を実行するように構成されうる。任意の情報、データ、及び／又は信号が、無線デバイス、他のネットワークノード、及び／又は任意の他のネットワーク設備へ送信されうる。
【０１０９】
電力回路４８７は、電力管理回路を含み又はそれに接続されてもよく、ネットワークノード４６０のコンポーネントに、ここで説明される機能を実行するための電力を供給するように構成される。電力回路４８７は、電源４８６から電力を受信しうる。電源４８６及び／又は電力回路４８７は、個別のコンポーネントに対して適した形式で（例えば、各個別のコンポーネントに必要とされる電圧及び電流レベルで）ネットワークノード４６０の様々なコンポーネントへ電力を提供するように構成されうる。電源４８６は、電力回路４８７及び／又はネットワークノード４６０に含まれてもよいし、それらの外部にあってもよい。例えば、ネットワークノード４６０は、外部電源が電力回路４８７に電力を供給する入力回路や電気ケーブルなどのインタフェースを介して、外部電源（例えば、電力コンセント）に接続可能であってもよい。さらなる例として、電源４８６は、電力回路４８７に接続され又は集約されるバッテリ又はバッテリパックの形式で電力のソースを有してもよい。バッテリは、外部電源に障害が発生した場合にバックアップ電力を提供してもよい。また、光起電デバイスなどの他の種類の電源が使用されてもよい。
【０１１０】
ネットワークノード４６０の代替的な実施形態は、ここで説明した機能のいずれか及び／又はここで説明される主題をサポートするのに必要な任意の機能を含んだ所定の態様のネットワークノードの機能を提供することを担いうる、図４に示されるものを超える追加のコンポーネントを含んでもよい。例えば、ネットワークノード４６０は、ネットワークノード４６０への情報の入力を可能とし、ネットワークノード４６０からの情報の出力を可能とするためのユーザインタフェース装置を含んでもよい。これは、ネットワークノード４６０のための、診断、保守、修理、および他の管理機能をユーザが実行することを可能としうる。
【０１１１】
ここで使用されるように、無線デバイス（ＷＤ）は、ネットワークノード及び／又は他の無線デバイスと無線で通信することが可能な、そのように構成された、そのように配置された、及び／又はそのように動作可能なデバイスを指す。特に断りのない限りは、用語ＷＤは、ここでは、ユーザ端末（ＵＥ）と相互に交換可能に用いられうる。無線で通信することは、エアを通じて情報を運ぶのに適した、電磁波、無線波、赤外線波、及び／又は他の種類の信号を用いて、無線信号を送信すること及び／又は受信することを含みうる。いくつかの実施形態において、ＷＤは、直接的な人的交流なく情報を送信及び／又は受信するように構成されうる。例えば、ＷＤは、内部的な又は外部的なイベントによってトリガされた際に又はネットワークからの要求に応答して、所定のスケジュールでネットワークへ情報を送信するように設計されうる。ＷＤの例は、スマートフォン、移動体電話、携帯電話、ヴォイスオーバＩＰ（ＶｏＩＰ）電話、無線ローカルループ電話、デスクトップコンピュータ、パーソナルデジタルアシスタント（ＰＤＡ）、無線カメラ、ゲームコンソールもしくはデバイス、音楽記憶デバイス、再生器具、ウェアラブルターミナルデバイス、無線エンドポイント、移動局、タブレット、ラップトップ、ラップトップ内蔵装置（ＬＥＥ）、ラップトップ搭載装置（ＬＭＥ）、スマートデバイス、無線加入者宅内機器（ＣＰＥ）、車載無線端末デバイスなどを含むが、これらに限られない。ＷＤは、例えば再度リンク通信のための３ＧＰＰ標準、車対車（Ｖ２Ｖ）、車対インフラ（Ｖ２Ｉ）、車対物（Ｖ２Ｘ）を実装することにより、デバイス対デバイス（Ｄ２Ｄ）通信をサポートしてもよく、この場合、Ｄ２Ｄ通信デバイスと呼ばれてもよい。さらに別の特定の例として、インターネットオブシングズ（ＩｏＴ）シナリオにおいて、ＷＤは、監視及び／又は測定を実行する機械又は他の装置を表してもよく、別のＷＤ及び／又はネットワークノードへ、このような監視及び／又は測定の結果を送信する。ＷＤは、この場合、３ＧＰＰの文脈においてＭＴＣデバイスと呼ばれうる、機械対機械（Ｍ２Ｍ）デバイスでありうる。１つの特定の例として、ＷＤは、３ＧＰＰの狭帯域インターネットオブシングズ（ＮＢ−ＩｏＴ）標準を実装するＵＥでありうる。このような機会又はデバイスの具体例は、センサ、電力計などの測定デバイス、工業機械、又は過程もしくは個人器具（例えば冷蔵庫、テレビ等）、パーソナルウェアラブル（例えば、時計、フィットネストラッカなど）である。別のシナリオでは、ＷＤは、その動作状態を測定及び／又は報告することや、その動作に関連付けられた他の機能を実行可能な車両又は他の設備を表しうる。上述のようなＷＤは、無線接続のエンドポイントを表してもよく、そのシナリオにおいて、デバイスは、無線ターミナルと呼ばれうる。さらに、上述のようなＷＤは、移動体であってもよく、その場合、モバイルデバイス又はモバイルターミナルとも呼ばれうる。
【０１１２】
図のように、無線デバイス４１０は、アンテナ４１１、インタフェース４１４、処理回路４２０、デバイス可読媒体４３０、ユーザインタフェース装置４３２、補助装置４３４、電源４３６、および電力回路４３７を含む。ＷＤ４１０は、例えば少し記述するだけでも、ＧＳＭ、ＷＣＤＭＡ、ＬＴＥ、ＮＲ、ＷｉＦｉ、ＭｉＭＡＸ、又はＢｌｕｅｔｏｏｔｈ無線技術などの、ＷＤ４１０によってサポートされる様々な無線技術のための、１つ以上の図解されたコンポーネントのセットを複数含みうる。これらの無線技術は、ＷＤ４１０内の他のコンポーネントと同一の又は異なるチップ又はチップのセットに集積されてもよい。
【０１１３】
アンテナ４１１は、１つ以上のアンテナ又はアンテナアレイを含み、無線信号を送信及び／又は受信するように構成されることができ、インタフェース４１４に接続される。所定の代替的な実施形態では、アンテナ４１１は、ＷＤ４１０と分離され、インタフェース又はポートを通じてＷＤ４１０に接続可能であってもよい。アンテナ４１１、インタフェース４１４、及び／又は処理回路４２０は、ＷＤによって実行されるとここで説明した任意の受信又は送信動作を実行するように構成されうる。任意の情報、データ、及び／又は信号が、ネットワークノード及び／又は他のＷＤから受信されうる。いくつかの実施形態において、無線フロントエンド回路及び／又はアンテナ４１１が、インタフェースとみなされうる。
【０１１４】
図のように、インタフェース４１４は、無線フロントエンド回路４１２とアンテナ４１１とを有する。無線フロントエンド回路４１２は、１つ以上のフィルタ４１８および増幅器４１６を有する。無線フロントエンド回路４１４は、アンテナ４１１および処理回路４２０に接続され、アンテナ４１１と処理回路４２０との間で伝達される信号を調整するように構成される。無線フロントエンド回路４１２は、アンテナ４１１に又はその一部に接続されうる。いくつかの実施形態において、ＷＤ４１０は、別個の無線フロントエンド回路４１２を含まなくてもよく、むしろ、処理回路４２０が無線フロントエンド回路を有してもよく、アンテナ４１１に接続されてもよい。同様に、いくつかの実施形態において、ＲＦ送受信器回路４２２の一部または全部が、インタフェース４１４の一部とみなされてもよい。無線フロントエンド回路４１２は、他のネットワークノード又はＷＤへ無線接続を介して送出されるべきデジタルデータを受信しうる。無線フロントエンド回路４１２は、そのデジタルデータを、フィルタ４１８及び／又は増幅器４１６の組み合わせを用いて、適切なチャネル及び帯域幅パラメータを有する無線信号へ変換しうる。そして、その無線信号は、アンテナ４１１を介して送信されうる。同様に、データを受信する際に、アンテナ４１１は、無線フロントエンド回路４１２によってその後にデジタルデータに変換される無線信号を収集しうる。その後、デジタルデータは、処理回路４２０に受け渡されうる。別の実施形態において、インタフェースは、異なるコンポーネントを有してもよく、及び／又は、コンポーネントの異なる組み合わせを有してもよい。
【０１１５】
処理回路４２０は、単独で、または、デバイス可読媒体４３０などのＷＤ４１０のコンポーネントと共に、ＷＤ４１０の機能を提供するように動作可能な、マイクロプロセッサ、中央演算処理装置、デジタルシグナルプロセッサ、特定用途向け集積回路、フィールドプログラマブルゲートアレイ、又は任意の他の適切なコンピューティングデバイスの１つ以上、リソース、又は、ハードウェア、ソフトウェア並びに／もしくはエンコードされたロジックの組み合わせを含みうる。このような機能は、ここで議論される様々な無線の特徴又は利益のいずれかを提供することを含みうる。例えば、処理回路４２０は、ここで開示される機能を提供するために、デバイス可読媒体４３０に又は処理回路４２０内のメモリに記憶されている命令を実行しうる。
【０１１６】
図のように、処理回路４２０は、１つ以上のＲＦ送受信器回路４２２、ベースバンド処理回路４２４、およびアプリケーション処理回路４２６を含む。別の実施形態では、処理回路は、異なるコンポーネントを、及び／又は、コンポーネントの異なる組み合わせを有してもよい。所定の実施形態では、ＷＤ４１０の処理回路４２０は、ＳＯＣを含みうる。いくつかの実施形態において、ＲＦ送受信器回路４２２、ベースバンド処理回路４２４、およびアプリケーション処理回路４２６は、別個のチップ上に又はチップのセット上にあってもよい。代替的な実施形態では、ベースバンド処理回路４２４とアプリケーション処理回路４２６の一部または全部が、１つのチップに又はチップの１つのセットにまとめられてもよく、ＲＦ送受信器回路４２２は、別個のチップ上に又はチップのセット上にあってもよい。さらに代替的な実施形態において、ＲＦ送受信器回路４２２とベースバンド処理回路４２４との一部または全部が、同一のチップ上に、又は、チップのセット上にあってもよく、アプリケーション処理回路４２６は、別個のチップ上にまたはチップのセット上にあってもよい。また別の代替的な実施形態では、ＲＦ送受信器回路４２２、ベースバンド処理回路４２４、およびアプリケーション処理回路４２６の一部または全部が、同一のチップに又はチップのセットにまとめられてもよい。いくつかの実施形態において、ＲＦ送受信器回路４２２は、インタフェース４１４の一部でありうる。ＲＦ送受信器回路４２２は、処理回路４２０のためにＲＦ信号を調整しうる。
【０１１７】
所定の実施形態において、ＷＤによって実行されるとここで説明した機能の一部または全部が、所定の実施形態におけるコンピュータ可読記憶媒体でありうるデバイス可読媒体４３０に記憶された命令を実行する処理回路４２０によって提供されうる。代替的な実施形態において、機能の一部または全部が、ハードウェアに組み込まれた方法においてなど、分離された又は個別のデバイス可読記憶媒体に記憶された命令を実行することなく、処理回路４２０によって提供されうる。それらの具体的な実施形態のいずれにおいても、デバイス可読記憶媒体に記憶された命令を実行すると否とによらず、処理回路４２０は、説明した機能を実行するように構成されうる。このような機能によって与えられる利益は、処理回路４２０単独に、又はＷＤ４１０の他のコンポーネントに限定されず、ＷＤ４１０の全体として及び／又は広くエンドユーザおよび無線ネットワークによって享受される。
【０１１８】
処理回路４２０は、ＷＤによって実行されるとここで説明した任意の判定、演算、又は同様の動作（例えば、所定の取得動作）を実行するように構成されうる。処理回路４２０によって実行されるようなこれらの動作は、例えば、取得した情報を他の情報へ変換すること、取得した情報又は変換された情報をＷＤ４１０によって記憶されている情報と比較すること、及び／又は、取得した情報又は変換した情報に基づく１つ以上の動作を実行することにより、そして、判定を実行するその処理の結果として、処理回路４２０が取得した処理情報を含みうる。
【０１１９】
デバイス可読媒体４３０は、コンピュータプログラム、ソフトウェア、１つ以上のロジック、ルール、コード、テーブルなどを含んだアプリケーション、及び／又は、処理回路４２０が実行可能な他の命令を記憶するように動作可能でありうる。デバイス可読媒体４３０は、処理回路４２０によって使用されうる情報、データ及び／又は目例を記憶する、コンピュータメモリ（例えば、ランダムアクセスメモリ（ＲＡＭ）又はリードオンリーメモリ（ＲＯＭ））、大容量記憶媒体（例えばハードディスク）、リムーバブル記憶媒体（例えばコンパクトディスク（ＣＤ）又はデジタルビデオディスク（ＤＶＤ））、及び／又は任意の他の揮発性もしくは不揮発性の、非一時的デバイス可読並びに／もしくはコンピュータ実行可能メモリデバイスを含みうる。いくつかの実施形態では、処理回路４２０およびデバイス可読媒体４３０が集積されると考えられうる。
【０１２０】
ユーザインタフェース装置４３２は、人間のユーザがＷＤ４１０と作用することを可能とするコンポーネントを提供しうる。このような作用は、視覚、聴覚、触覚などのような多くの形式のものでありうる。ユーザインタフェース装置４３２は、ユーザへの出力を生成し、ユーザがＷＤ４１０へ入力することを提供することを可能とするように動作可能でありうる。作用の種類は、ＷＤ４１０にインストールされたユーザインタフェース装置４３２の種類に依存して変動しうる。例えば、ＷＤ４１０がスマートフォンである場合、作用は、タッチスクリーンを介しうるし、ＷＤ４１０がスマートメータである場合には、作用は使用量（例えば使用されたガロン数）を与える画面や、（例えば煙が検出された場合に）警報を与えるスピーカを通じうる。ユーザインタフェース装置４３２は、入力インタフェース、デバイスおよび回路と、出力インタフェース、デバイスおよび回路を含みうる。ユーザインタフェース装置４３２は、ＷＤ４１０への情報の竜力を可能とするように構成され、処理回路４２０が入力情報を処理することを可能とするように処理回路４２０に接続される。ユーザインタフェース装置４３２は、例えば、マイク、近接もしくは他のセンサ、キー／ボタン、タッチディスプレイ、１つ以上のカメラ、ＵＳＢポート、又は他の入力回路を含みうる。ユーザインタフェース装置４３２は、ＷＤ４１０からの情報の出力を可能とするように構成され、処理回路４２０がＷＤ４１０から情報を出力することを可能とするように構成される。ユーザインタフェース装置４３２は、例えば、スピーカ、ディスプレイ、振動回路、ＵＳＢポート、ヘッドフォンインタフェース、又は他の出力回路を含みうる。ユーザインタフェース装置４３２の１つ以上の入出力インタフェース、デバイスおよび回路を用いて、ＷＤ４１０は、エンドユーザ及び／又は無線ネットワークと通信することができ、それらがここで説明した機能から利益を得ることができるようにしうる。
【０１２１】
補助装置４３４は、一般的にはＷＤによって実行されなくてもよいより多くの特定の機能を提供するように動作可能である。これは、様々な目的で測定を行うための専用のセンサ、有線通信などのような追加の種類の通信のためのインタフェースを含みうる。補助装置４３４のコンポーネントを含めること及びその種類は、実施形態及び／又はシナリオに応じて異なり得る。
【０１２２】
電源４３６は、いくつかの実施形態において、バッテリ又はバッテリパックの形式でありうる。外部電源（例えば電気コンセント）、光起電デバイス、又はパワーセルなどの他の種類の電源が使用されてもよい。ＷＤ４１０は、さらに、ここで説明され又は示された機能を実行するのに電源４３６からの電力を必要とするＷＤ４１０の様々な部分へ電源４３６からの電力を運ぶ、電力回路４３７を有しうる。電力回路４３７は、所定の実施形態において、電力管理回路を有しうる。電力回路４３７は、追加的に又は代替的に、外部電源から電力を受信するように動作可能であってもよく、この場合、ＷＤ４１０は、電力ケーブルなどの入力回路又はインタフェースを介して、（電気コンセントなどの）外部電源に接続可能でありうる。また、電力回路４３７は、所定の実施形態において、電源４３６へ外部電源からの電力を運ぶように動作可能でありうる。これは、例えば、電源４３６の充電のためのものでありうる。電力回路４３７は、電力をその電力が供給されるＷＤ４１０の個別のコンポーネントに適したものとするために、電源４３６からの電力のフォーマット、変換、又は他の変形を実行しうる。
【０１２３】
図５は、いくつかの実施形態によるユーザ端末を図解している。図５は、ここで説明される様々な態様に従うＵＥの１つの実施形態を図解している。ここで用いられるように、ユーザ端末又はＵＥは、その関係のあるデバイスを保有し及び／又は運用する人間のユーザという意味でのユーザを必ずしも有しなくてもよい。代わりに、ＵＥは、人間のユーザへの販売やそのユーザによる運用が意図された、しかし、特定の人間のユーザと関連付けられなくてもよい、又は初期的に関連付けられなくてもよい、デバイス（例えばスマートスプリンクラコントローラ）を表しうる。代替的に、ＵＥは、エンドユーザへの販売やエンドユーザによる運用が意図されていないが、ユーザに関連付けられ又はユーザの利益のために運用されうるデバイス（例えばスマート電力計）を表してもよい。ＵＥ５２００は、ＮＢ−ＩｏＴ  ＵＥ、マシンタイプ通信（ＭＴＣ）ＵＥ、及び／又はエンハンスドＭＴＣ（ｅＭＴＣ）ＵＥを含んだ、第３世代パートナーシッププロジェクト（３ＧＰＰ）によって特定される任意のＵＥでありうる。図５に示されるようなＵＥ５００は、第３世代パートナーシッププロジェクト（３ＧＰＰ）によって発布された、３ＧＰＰのＧＳＭ、ＵＭＴＳ、ＬＴＥ、及び／又は５Ｇ標準などの１つ以上の通信標準に従った通信のために構成されたＷＤの１つの例である。先に述べたように、用語ＷＤとＵＥは、交換可能に使用されうる。したがって、図５はＵＥであるが、ここで議論されるコンポーネントは、ＷＤにも等しく適用可能であり、その逆もまた然りである。いくつかの例において、ＵＥ５００は、上述の及び後述の例及び実施形態の何れかに関して説明されて図解された無線デバイス又はＵＥを含みうる。
【０１２４】
図５において、ＵＥ５００は、入出力インタフェース５０５、無線周波数（ＲＦ）インタフェース５０９、ネットワーク接続インタフェース５１１、ランダムアクセスメモリ（ＲＡＭ）５１７、リードオンリーメモリ（ＲＯＭ）５１９、および記憶媒体５２１等を含んだメモリ５１５、通信サブシステム５３１、電源５３３、及び／又は任意のコンポーネント、又はそれらの任意の組み合わせと動作可能に接続された処理回路５０１を含む。記憶媒体５２１は、オペレーティングシステム５２３、アプリケーションプログラム５２５、およびデータ５２７を含む。他の実施形態では、記憶媒体５２１は、他の同様の種類の情報を含みうる。所定のＵＥは、図５に示すコンポーネントの全て、又は、そのコンポーネントのサブセットのみを利用しうる。コンポーネント間の集積のレベルは、ＵＥごとに異なりうる。さらに、所定のＵＥは、複数のプロセッサ、メモリ、送受信器、送信器、受信器などのようなコンポーネントの複数のインスタンスを含みうる。
【０１２５】
図５において、処理回路５０１は、コンピュータ命令およびデータを処理するように構成されうる。処理回路５０１は、（例えば個別のロジック、ＦＰＧＡ、ＡＳＩＣなどにおける）１つ以上のハードウェア実装状態機械などの機械可読コンピュータプログラムとしてメモリに記憶されている機械命令を実行するように動作可能な任意の連続状態機械、適切なファームウェアを付したプログラマブルロジック、１つ以上の記憶されたプログラム、適切なソフトウェアを付したマイクロプロセッサやデジタルシグナルプロセッサ（ＤＳＰ）などの汎用プロセッサ、又は上述のものの任意の組み合わせを実装するように構成されうる。例えば、処理回路５０１は、２つの中央演算処理装置（ＣＰＵ）を含みうる。データは、コンピュータによる使用に適した形式の情報でありうる。
【０１２６】
描画された実施形態において、入出力インタフェース５０５は、入力デバイス、出力デバイス、又は、入力および出力デバイスへの通信インタフェースを提供するように構成されうる。ＵＥ５００は、入出力インタフェース５０５を介して出力デバイスを使用するように構成されうる。出力デバイスは、入力デバイスと同じ種類のインタフェースポートを使用しうる。例えば、ＵＳＢポートが、ＵＥ５００への入力とＵＥ５００からの出力を提供するために使用されうる。出力デバイスは、スピーカ、サウンドカード、ビデオカード、ディスプレイ、モニタ、プリンタ、アクチュエータ、エミッタ、スマートカード、他の出力デバイス、又はそれらの任意の組み合わせでありうる。ＵＥ５００は、ＵＥ５００への情報をユーザが捕捉することができるように、入出力インタフェース５０５を介して入力デバイスを使用するように構成されうる。入力デバイスは、タッチセンシティブ又はプレゼンスセンシティブディスプレイ、カメラ（例えばデジタルカメラ、デジタルビデオカメラ、ウェブカメラなど）、マイク、センサ、マウス、トラックボール、ディレクショナルパッド、トラックパッド、スクロールホイール、スマートカードなどを含みうる。プレゼンスセンシティブディスプレイは、ユーザからの入力をセンシングする容量性又は抵抗性タッチセンサを含みうる。例えば、センサは、加速度計、ジャイロスコープ、チルトセンサ、力センサ、磁力計、光学センサ、近接センサ、他の同様のセンサ、又はそれらの任意の組み合わせでありうる。例えば、入力デバイスは、加速度計、磁力計、デジタルカメラ、マイク、および光学センサでありうる。
【０１２７】
図５において、ＲＦインタフェース５０９は、送信器、受信器、およびアンテナなどのＲＦコンポーネントへの通信インタフェースを提供するように構成されうる。ネットワーク接続インタフェース５１１は、ネットワーク５４３ａへの通信インタフェースを提供するように構成されうる。ネットワーク５４３ａは、ローカルエリアネットワーク（ＬＡＮ）、ワイドエリアネットワーク（ＷＡＮ）、コンピュータネットワーク、無線ネットワーク、電気通信ネットワーク、他の同様のネットワーク、又はそれらの任意の組み合わせなどの、有線及び／又は無線ネットワークを包含しうる。例えば、ネットワーク５４３ａは、Ｗｉ−Ｆｉネットワークを含みうる。ネットワーク接続インタフェース５１１は、イーサネット、ＴＣＰ／ＩＰ、ＳＯＮＥＴ、ＡＴＭなどのような、１つ以上の通信プロトコルに従って、通信ネットワークを介して１つ以上の他のデバイスと通信するのに使用される受信器及び送信器インタフェースを含むように構成されうる。ネットワーク接続インタフェース５１１は、通信ネットワークリンクに適した受信器および送信器機能（例えば、光学、電気、など）を実装しうる。送信器および受信器機能は、回路コンポーネント、ソフトウェア又はファームウェアを共有してもよく、また、代替的に、別個に実装されてもよい。
【０１２８】
ＲＡＭ５１７は、オペレーティングシステム、アプリケーションプログラム、およびデバイスドライバなどのソフトウェアプログラムの実行中のデータやコンピュータ命令の記憶又はキャッシュを提供するように、バス５０２を介して処理回路５０１にインタフェース接続するように構成されうる。ＲＯＭ５１９は、処理回路５０１へコンピュータ命令やデータを提供するように構成されうる。例えば、ＲＯＭ５１９は、ベーシック入出力（Ｉ／Ｏ）、スタートアップ、又は不揮発メモリに記憶されたキーボードからのキーストロークの受信などの、基本的なシステム機能のための不変の低レベルシステムコード又はデータを記憶するように構成されうる。記憶媒体５２１は、ＲＡＭ、ＲＯＭ、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、磁気ディスク、光学ディスク、フロッピーディスク、ハードディスク、リムーバブルカートリッジ、又はフラッシュドライブなどのメモリを含むように構成されうる。一例において、記憶媒体５２１は、オペレーティングシステム５２３、ウェブブラウザアプリケーション、ウィジェットもしくはガジェットエンジン又は他のアプリケーションなどのアプリケーションプログラム５２５、データファイル５２７を含むように構成されうる。記憶媒体５２１は、ＵＥ５００による使用のために、種類豊富な様々なオペレーティングシステムを又はオペレーティングシステムの組み合わせを記憶しうる。
【０１２９】
記憶媒体５２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多目的ディスク（ＨＤ−ＤＶＤ）光学ディスクドライブ、内部ハードディスクドライブ、ブルーレイ光学ディスクドライブ、ホログラフィックデジタルデータストレージ（ＨＤＤＳ）光学ディスクドライブ、外部ミニデュアルインラインメモリモジュール（ＤＩＭＭ）、同期動的ランダムアクセスメモリ（ＳＤＲＡＭ）、外部マイクロＤＩＭＭ  ＳＤＲＡＭ、加入者アイデンティティモジュールやリムーバブルユーザアイデンティティ（ＳＩＭ／ＲＵＩＭ）モジュールなどのスマートカードメモリ、他のメモリ、またはそれらの任意の組み合わせなどの、複数の物理ドライブユニットを含むように構成されうる。記憶媒体５２１は、データをオフロードするため、又はデータをアップロードするために、一時的又は非一時的メモリ媒体に記憶された、コンピュータ実行可能命令、アプリケーションプログラムなどにＵＥ５００がアクセスすることを可能としうる。通信システムを利用するものなどの製品は、デバイス可読媒体を含みうる記憶媒体５２１において、明白に具現化されうる。
【０１３０】
図５において、処理回路５０１は、通信サブシステム５３１を用いてネットワーク５４３ｂと通信するように構成されうる。ネットワーク５４３ａ及びネットワーク５４３ｂは、同一の１つまたは複数のネットワークであってもよいし、異なる１つまたは複数のネットワークであってもよい。通信サブシステム５３１は、ネットワーク５４３ｂと通信するのに使用される１つ以上の送受信器を含むように構成されうる。例えば、通信サブシステム５３１は、ＩＥＥＥ８０２．１１、ＣＤＭＡ、ＷＣＤＭＡ、ＧＳＭ、ＬＴＥ、ＵＴＲＡＮ、ＷｉＭａｘなどのような１つ以上の通信プロトコルに従う、無線アクセスネットワーク（ＲＡＮ）の別のＷＤ、ＵＥ、又は基地局などの無線通信可能な他のデバイスの１つ以上のリモート送受信器と通信するのに使用される、１つ以上の送受信器を含むように構成されうる。各送受信器は、ＲＡＮリンク（例えば周波数割り当てなど）に適した送信器又は受信機の機能をそれぞれ実装するための送信器５３３及び／又は受信器５３５を含みうる。さらに、各送受信器の送信器５３３および受信器５３５は、回路、コンポーネント、ソフトウェア又はファームウェアを共有してもよいし、代替的に、別個に実装されてもよい。
【０１３１】
図解した実施形態において、通信サブシステム５３１の通信機能は、データ通信、音声通信、マルチメディア通信、Ｂｌｕｅｔｏｏｔｈなどの短距離通信、ニアフィールド通信、位置を判定するための全地球測位システム（ＧＰＳ）の使用などの位置ベースの通信、別の同様の通信機能、又はそれらの任意の組み合わせを含みうる。例えば、通信サブシステム５３１は、セルラ通信、Ｗｉ−Ｆｉ通信、Ｂｌｕｅｔｏｏｔｈ通信、およびＧＰＳ通信を含みうる。ネットワーク５４３ｂは、ローカルエリアネットワーク（ＬＡＮ）、ワイドエリアネットワーク（ＷＡＮ）、コンピュータネットワーク、無線ネットワーク、電気通信ネットワーク、他の同様のネットワーク、又はそれらの任意の組み合わせなどの、有線及び／又は無線ネットワークを包含しうる。例えば、ネットワーク５４３ｂは、セルラネットワーク、Ｗｉ−Ｆｉネットワーク、及び／又は、ニアフィールドネットワークでありうる。電源５１３は、ＵＥ５００のコンポーネントに交流（ＡＣ）又は直流（ＤＣ）電力を提供するように構成されうる。
【０１３２】
ここで説明した特徴、利点、及び／又は、機能は、ＵＥ５００のコンポーネントの１つにおいて実装されてもよいし、ＵＥ５００の複数のコンポーネントにわたって分割されてもよい。さらに、ここで説明した特徴、利点、及び／又は機能は、ハードウェア、ソフトウェア又はファームウェアの任意の組み合わせにおいて実装されうる。一例において、通信サブシステム５３１は、ここで説明するコンポーネントのいずれかを含むように構成されうる。さらに、処理回路５０１は、バス５０２を介してこのようなコンポーネントのいずれかと通信するように構成されうる。別の例では、このようなコンポーネントのいずれかが、処理回路５０１によって実行される場合にここで説明した対応する機能を実行するメモリに記憶されたプログラム命令によって表されてもよい。別の例では、このようなコンポーネントのいずれかの機能が、処理回路５０１と通信サブシステム５３１との間で分割されてもよい。別の例では、このようなコンポーネントのいずれかの計算機負荷の重くない機能が、ソフトウェア又はハードウェアで実装され、計算機負荷の重い機能がハードウェアで実装されてもよい。
【０１３３】
図６は、いくつかの実施形態による、仮想化環境を図解している。
【０１３４】
図６は、いくつかの実施形態により実装される機能が仮想化されうる仮想化環境６００を示す概略ブロック図である。本文脈において、仮想化は、仮想化ハードウェアプラットフォーム、記憶デバイス、およびネットワーキングリソースを含みうる装置又はデバイスの仮想化バージョンを作ることを意味する。ここで用いられるように、仮想化は、ノード（例えば仮想化基地局や仮想化無線アクセスノード）に、又はデバイス（例えばＵＥ、無線デバイス又は任意の他の種類の通信デバイス）に、又はそれらのコンポーネントに適用されてもよく、その機能の少なくとも一部が（例えば、１つ以上のネットワークにおける１つ以上の物理処理ノードで実行する１つ以上のアプリケーション、機能、仮想機械、又はコンテナを介して）１つ以上の仮想コンポーネントとして実装されるような実装と関連する。
【０１３５】
いくつかの実施形態において、ここで説明する機能の一部または全部が、１つ以上のハードウェアノード６３０によってホストされる１つ以上の仮想環境６００において実装される１つ以上の仮想機械により実行される、仮想コンポーネントとして実装されうる。さらに、仮想ノードが無線アクセスノードでない又は無線接続を要求しない（例えばコアネットワークノード）実施形態において、ネットワークノードは全体が仮想化されてもよい。
【０１３６】
機能は、ここで開示される実施形態の一部の特徴、機能、及び／又は利益の一部を実行するように動作可能な、（代替的にソフトウェアインスタンス、仮想アプライアンス、ネットワーク機能、仮想ノード、仮想ネットワーク機能などと呼ばれうる）１つ以上のアプリケーション６２０によって実装されうる。アプリケーション６２０は、処理回路６６０とメモリ６９０とを含んだハードウェア６３０を提供する仮想化環境６００において実行される。メモリ６９０は、処理回路６６０によって実行可能な命令６９５を含み、それにより、アプリケーション６２０が、ここで開示された１つ以上の特徴、利点、及び／又は機能を提供するように動作可能である。
【０１３７】
仮想化環境６００は、民生品の（ＣＯＴＳ）プロセッサ、専用の特定用途向け集積回路（ＡＳＩＣ）、又は、デジタルもしくはアナログハードウェアコンポーネントもしくは特定用途プロセッサを含んだ任意の他の種類の処理回路でありうる、１つ以上のプロセッサ又は処理回路６６０を含んだ、汎用又は特定用途向けのネットワークハードウェアデバイス６３０を有する。各ハードウェアデバイスは、処理回路６６０によって実行される命令６９５又はソフトウェアを一時的に記憶するための非永続的メモリでありうるメモリ６９０−１を有しうる。各ハードウェアデバイスは、ネットワークインタフェースカードとしても知られており、物理ネットワークインタフェース６８０を含んだ、１つ以上のネットワークインタフェースコントローラ（ＮＩＣ）を有しうる。また、各ハードウェアデバイスは、処理回路６６０によって実行可能なソフトウェア６９５及び／又は命令をその中に記憶している非一時的な、永続的な、機械可読記憶媒体６９０−２を含みうる。ソフトウェア６９５は、１つ以上の（ハイパーバイザとも呼ばれる）仮想化レイヤ６５０のインスタンスを作成するソフトウェアと、仮想マシン６４０を実行するためのソフトウェア、および、ここで説明するいくつかの実施形態に関連して説明された機能、特徴及び／又は利点を実行することを可能とするソフトウェア仮想マシン６４０を実行するためのソフトウェア、および、ここで説明するいくつかの実施形態に関連して説明された機能、特徴及び／又は利点を実行することを可能とするソフトウェア仮想マシン６４０を実行するためのソフトウェア、および、ここで説明するいくつかの実施形態に関連して説明された機能、特徴及び／又は利点を実行することを可能とするソフトウェア仮想マシン６４０を実行するためのソフトウェア、および、ここで説明するいくつかの実施形態に関連して説明された機能、特徴及び／又は利点を実行することを可能とするソフトウェア仮想マシン６４０を実行するためのソフトウェア、および、ここで説明するいくつかの実施形態に関連して説明された機能、特徴及び／又は利点を実行することを可能とするソフトウェア仮想マシン６４０を実行するためのソフトウェア、および、ここで説明するいくつかの実施形態に関連して説明された機能、特徴及び／又は利点を実行することを可能とするソフトウェア仮想マシン６４０を実行するためのソフトウェア、および、ここで説明するいくつかの実施形態に関連して説明された機能、特徴及び／又は利点を実行することを可能とするソフトウェア仮想マシン６４０を実行するためのソフトウェア、および、ここで説明するいくつかの実施形態に関連して説明された機能、特徴及び／又は利点を実行することを可能とするソフトウェア仮想マシン６４０を実行するためのソフトウェア、および、ここで説明するいくつかの実施形態に関連して説明された機能、特徴及び／又は利点を実行することを可能とするソフトウェア仮想マシン６４０を実行するためのソフトウェア、および、ここで説明するいくつかの実施形態に関連して説明された機能、特徴及び／又は利点を実行することを可能とするソフトウェア仮想マシン６４０を実行するためのソフトウェア、および、ここで説明するいくつかの実施形態に関連して説明された機能、特徴及び／又は利点を実行することを可能とするソフトウェアを含んだ任意の種類のソフトウェアを含みうる。
【０１３８】
仮想マシン６４０は、仮想処理、仮想メモリ、仮想ネットワーキング又はインタフェース及び仮想ストレージを有し、対応する仮想化レイヤ６５０又はハイパーバイザによって実行されうる。仮想アプライアンス６２０のインスタンスの様々な実施形態が、１つ以上の仮想マシン６４０上で実装されてもよく、その実装は、様々な方法で行われうる。
【０１３９】
動作の間、処理回路６６０は、場合によっては仮想マシンモニタ（ＶＭＭ）と呼ばれうるハイパーバイザ又は仮想化レイヤ６５０のインスタンスを作成するためにソフトウェア６９５を実行する。仮想化レイヤ６５０は、仮想マシン６４０に対してネットワーキングハードウェアのように見える仮想オペレーティングプラットフォームを表しうる。
【０１４０】
図６に示すように、ハードウェア６３０は、汎用又は固有のコンポーネントを有するスタンドアロンのネットワークノードでありうる。ハードウェア６３０は、アンテナ６２２５を含んでもよく、仮想化を介していくつかの機能を実行しうる。代わりに、ハードウェア６３０は、多くのハードウェアノードが協働し、とりわけアプリケーション６２０のライフサイクル管理を監督する、マネジメントおよびオーケストレーション（ＭＡＮＯ）６１００を介してそれらが管理される（例えばデータセンタ又は加入者宅内設備（ＣＰＥ）でのように）ハードウェアの大きいクラスタの一部でありうる。
【０１４１】
ハードウェアの仮想化は、いくつかの文脈において、ネットワーク機能仮想化（ＮＦＶ）と呼ばれる。ＮＦＶは、多くのネットワーク設備のタイプを、業界標準大容量サーバハードウェア、物理スイッチ、および、データセンタや加入者宅内設備に配置されうる物理ストレージに集約するために用いられうる。
【０１４２】
ＮＦＶの文脈において、仮想マシン６４０は、物理的な、仮想化されていない機械で実行されたかのようにプログラムを実行する、物理機械のソフトウェア実装でありうる。仮想マシン６４０のそれぞれ、および、その仮想マシンを実行するハードウェア６３０のその一部は、その仮想マシン専用のハードウェア及び／又はその仮想マシンによって仮想マシン６４０の他のものと共有されるハードウェアであろうと、別個の仮想ネットワークエレメント（ＶＮＥ）を形成する。
【０１４３】
さらにＮＦＶの文脈において、仮想ネットワーク機能（ＶＮＦ）は、図６では、ハードウェアネットワーキングインフラストラクチャ６３０に加えて１つ以上の仮想マシン６４０において動作し、アプリケーション６２０に対応する固有のネットワーク機能への対処を担う。
【０１４４】
いくつかの実施形態において、それぞれが１つ以上の送信器６２２０と１つ以上の受信器６２１０とを含む１つ以上の無線ユニット６２００は、１つ以上のアンテナ６２２５に結合されうる。無線ユニット６２００は、１つ以上の適切なネットワークインタフェースを介して、ハードウェアノード６３０と直接通信してもよく、無線アクセスノード又は基地局などの無線能力を有する仮想ノードを提供するために、仮想コンポーネントと組み合わせて用いられうる。
【０１４５】
いくつかの実施形態において、いくつかのシグナリングが、代替的にハードウェアノード６３０と無線ユニット６２００との間の通信に使用されうる制御システム６２３０を使って、達成されうる。
【０１４６】
図７は、いくつかの実施形態により、ホストコンピュータに中間ネットワークを介して接続された電気通信ネットワークを示している。
【０１４７】
図７を参照すると、ある実施形態によれば、通信システムは、無線アクセスネットワークなどのアクセスネットワーク７１１とコアネットワーク７１４とを有する３ＧＰＰタイプのセルラネットワークなどの電気通信ネットワーク７１０を含む。アクセスネットワーク７１１は、それぞれが対応するカバレッジエリア７１３ａ、７１３ｂ、７１３ｃを定める、ＮＢ、ｅＮＢ、ｇＮＢ、又は他の種類の無線アクセスポイントなどの複数の基地局７１２ａ、７１２ｂ、７１２ｃを有する。各基地局７１２ａ、７１２ｂ、７１２ｃは、有線又は無線接続７１５を介して、コアネットワーク７１４に接続可能である。各基地局７１２ａ、７１２ｂ、７１２ｃは、上述および後述の実施形態における基地局のいずれかに関して説明され図解されたように動作するように構成されうる。カバレッジエリア７１３ｃに位置する第１のＵＥ７９１は、対応する基地局７１２ｃに無線で接続され、又はその基地局７１２によって呼び出されるように構成される。カバレッジエリア７１３ａにおける第２のＵＥ７９２は、対応する基地局７１２ａに無線で接続可能である。この例では、複数のＵＥ７９１、７９２が図解されているが、単一のＵＥがカバレッジエリアないにある状況や、単一のＵＥが対応する基地局７１２に接続している状況に、開示される実施形態が等しく適用可能である。ＵＥ７９１、７９２のそれぞれは、上述及び後述の実施形態におけるＵＥ又は無線デバイスのいずれかに関して説明して図解したように動作するように構成されうる。
【０１４８】
電気通信ネットワーク７１０は、それ自身が、スタンドアロンサーバ、クラウド実装サーバ、分散サーバのハードウェア及び／又はソフトウェアにおいて、又は、サーバファームにおける処理リソースとして具現化されうるホストコンピュータ７３０に接続される。ホストコンピュータ７３０は、サービスプロバイダの所有又は制御下にあってもよく、サービスプロバイダによって又はサービスプロバイダの代わりに運用されてもよい。電気通信ネットワーク７１０とホストコンピュータ７３０との間の接続７１２および７２２は、コアネットワーク７１４からホストコンピュータ７３０へ直接伸びてもよいし、オプションの中間ネットワーク７２０を介してもよい。中間ネットワーク７２０は、公衆、プライベート、又はホストされたネットワークのいずれか又はこれらのうちの２つ以上の組み合わせであってもよく、中間ネットワーク７２０は、もし存在するなら、バックボーンネットワーク又はインターネットであってもよく、具体的には、中間ネットワーク７２０は、２つ以上のサブネットワーク（不図示）を有してもよい。
【０１４９】
図７の通信システムは、全体として接続されたＵＥ７９１、７９２とホストコンピュータ７３０との間の接続を可能とする。接続は、オーバーザトップ（ＯＴＴ）接続７５０と説明されうる。ホストコンピュータ７３０と接続されたＵＥ７９１、７９２は、アクセスネットワーク７１１、コアネットワーク７１４、任意の中間ネットワーク７２０、および中間段階としての可能性のあるさらなるインフラ（不図示）を用いて、ＯＴＴ接続７５０を介して、データ及び／又はシグナリングを通信するように構成される。ＯＴＴ接続７５０が通る参加通信デバイスが上りリンク及び下りリンク通信のルーティングに気付かないという意味で、ＯＴＴ接続７５０はトランスペアレントでありうる。例えば、基地局７１２に、ホストコンピュータ７３０から生じたデータが接続されているＵＥ７９１へ転送（例えばハンドオーバ）されるインカミング下りリンク通信の、過去のルーティングについて通知しなくてもよいし、その必要もない。同様に、基地局７１２は、ＵＥ７９１から生じたホストコンピュータ７３０へのアウトゴーイング上りリンク通信の将来のルーティングに気付く必要はない。
【０１５０】
図８は、いくつかの実施形態に従って、部分的に無線接続を経て、基地局を介して、ユーザ端末と通信するホストコンピュータを示している。
【０１５１】
ある実施形態による、先の段落で議論したＵＥ、基地局、およびホストコンピュータの例示の実装について、ここで図８を参照して説明する。通信システム８００において、ホストコンピュータ８１０は、通信システム８００の異なる通信デバイスのインタフェースとの有線又は無線接続をセットアップして維持するように構成された通信インタフェース８１６を含んだハードウェア８１５を有する。ホストコンピュータ８１０は、さらに、記憶及び／又は処理能力を有しうる処理回路８１８を有する。具体的には、処理回路８１８は、命令を実行するように適合された、１つ以上のプログラマブルプロセッサ、特定用途向け集積回路、フィールドプログラマブルゲートアレイ、又はこれらの組み合わせを有しうる（不図示）。ホストコンピュータ８１０は、さらに、ホストコンピュータ８１０に記憶され又はホストコンピュータ８１０によってアクセス可能で、処理回路８１８によって実行可能なソフトウェア８１１を有する。ソフトウェア８１１は、ホストアプリケーション８１２を含む。ホストアプリケーション８１２は、ＵＥ８３０およびホストコンピュータ８１０において終端するＯＴＴ接続８５０を介して接続されているＵＥ８３０などの遠隔ユーザにサービスを提供するように動作可能でありうる。遠隔のユーザへサービスを提供する際に、ホストアプリケーション８１２は、ＯＴＴ接続８５０を用いて送信されるユーザデータを提供しうる。
【０１５２】
通信システム８００は、さらに、電気通信システムにおいて提供され、ホストコンピュータ８１０およびＵＥ８３０と通信することを可能とするハードウェア８２５を有する基地局８２０を含む。ハードウェア８２５は、通信システム８００の異なる通信デバイスのインタフェースと有線又は無線接続をセットアップして維持するための通信インタフェース８２６、および、基地局８２０によって供されるカバレッジエリア（図８において不図示）に位置するＵＥ８３０と少なくとも無線接続８７０をセットアップして維持するための無線インタフェース８２７を含みうる。通信インタフェース８２６は、ホストコンピュータ８１０への接続８６０を促進するように構成されうる。接続８６０は、直接であってもよいし、電気通信システムのコアネットワーク（図８において不図示）を及び／又は電気通信システムの外部の１つ以上の中間ネットワークを通ってもよい。示した実施形態では、基地局８２０のハードウェア８２５は、さらに、命令を実行するように適合された、１つ以上のプログラマブルプロセッサ、特定用途向け集積回路、フィールドプログラマブルゲートアレイ、又はこれらの組み合わせを含みうる（不図示）、処理回路８２８を含む。基地局８２０は、さらに、内部的に記憶され又は外部接続を介してアクセス可能なソフトウェア８２１を有する。
【０１５３】
通信システム８００は、さらに、既に参照されているＵＥ８３０を含む。そのハードウェア８３５は、ＵＥ８３０が現在位置しているカバレッジエリアを供している基地局と無線接続８７０をセットアップして維持するように構成された無線インタフェース８３７を含みうる。ＵＥ８３０のハードウェア８３５は、さらに、命令を実行するように適合された１つ以上のプログラマブルプロセッサ、特定用途向け集積回路、フィールドプログラマブルゲートアレイ、又はこれらの組み合わせを含みうる（不図示）、処理回路８３８を含む。ＵＥ８３０は、さらに、ＵＥ８３０に記憶され又はＵＥ８３０によってアクセス可能で、処理回路８３８によって実行可能なソフトウェア８３１を有する。ソフトウェア８３１は、クライアントアプリケーション８３２を含む。クライアントアプリケーション８３２は、ＵＥ８３０を介して、人間の又は非人間のユーザに対して、ホストコンピュータ８１０の支援を受けてサービスを提供するように動作可能でありうる。ホストコンピュータ８１０において、実行中のホストアプリケーション８１２は、ＵＥ８３０およびホストコンピュータ８１０において終端するＯＴＴ接続８５０を介して、実行中のクライアントアプリケーション８３２と通信しうる。ユーザにサービスを提供する際に、クライアントアプリケーション８３２は、ホストアプリケーション８１２から要求データを受信し、その要求データに応答してユーザデータを提供しうる。ＯＴＴ接続８５０は、要求データ及びユーザデータの両方を転送しうる。クライアントアプリケーション８３２は、自身が提供するユーザデータを生成するためにユーザと情報をやり取りしうる。
【０１５４】
なお、図８に示されるホストコンピュータ８１０、基地局８２０、およびＵＥ８３０は、図７のホストコンピュータ７３０、基地局７１２ａ、７１２ｂ、７１２ｃのいずれか、および、ＵＥ７９１、７９２のいずれか、とそれぞれ同様又は同一でありうる。すなわち、これらのエンティティの内部的な動作が図８において示されるような者であってもよく、無関係に、周囲のネットワークトポロジは図７のものであってもよい。
【０１５５】
図８において、ＯＴＴ接続８５０は、ホストコンピュータ８１０とＵＥ８３０との間の基地局８２０を介する通信を説明するために、中間デバイスと、これらのデバイスを介したメッセージの正確なルーティングとへの明示的な参照なく、抽象的に描かれている。ネットワークインフラストラクチャは、ＵＥ８３０から、又は、ホストコンピュータ８１０を運用するサービスプロバイダから、又は、両方から隠すように構成されうるルーティングを決定しうる。ＯＴＴ接続８５０がアクティブである間、ネットワークインフラストラクチャは、さらなる決定を行ってもよく、それにより、（例えば、ロードバランシングの考慮又はネットワークの再設定に基づいて）ルーティングが動的に変更される。
【０１５６】
ＵＥ８３０と基地局８２０との間の無線接続８７０は、本開示を通じて説明された実施形態の教示に従う。様々な実施形態のうちの１つ以上は、無線接続８７０が最後の区分を形成するＯＴＴ接続８５０を用いてＵＥ８３０に提供されるＯＴＴサービスの性能を改善する。より正確には、これらの実施形態の教示は、無線リソースを設定するメッセージが受信されうる際の信頼性を改善し、接続が落ちるリスクを低減し、エンドユーザの性能を改善しうる。また、これらの実施形態の教示は、エンドユーザが受ける遅延を低減する高速なシグナリングを提供し、より少ないオーバヘッドを伴う小さい送信のおかげで電力効率を改善しうる。
【０１５７】
測定手順が、データレート、レイテンシ、および、１つ以上の実施形態が改善する他のファクタを監視する目的で提供されうる。さらに、測定結果における変動に応じて、ホストコンピュータ８１０とＵＥ８３０との間のＯＴＴ接続８５０を再設定するためのオプションのネットワーク機能があってもよい。ＯＴＴ接続８５０を再設定するための測定手順及び／又はネットワーク機能は、ホストコンピュータ８１０のソフトウェア８１１およびハードウェア８１５において、又は、ＵＥ８３０のソフトウェア８３１とハードウェア８３５において、又はその両方において、実装されうる。実施形態において、センサ（不図示）が、ＯＴＴ接続８５０が通る通信デバイスに、又は、その通信デバイスと関連して、配置されてもよく、そのセンサは、上で例示した監視される量の値を供給することにより、又は、その値からソフトウェア８１１、８３１がその監視される量を計算し又は推定しうる他の物理量の値を供給することにより、測定手順に参加しうる。ＯＴＴ接続８５０の再設定は、メッセージフォーマット、再送設定、好ましいルーティングを含んでもよく；その再設定は、基地局８２０に影響を及ぼす必要はなく、基地局８２０に知られておらず又は感知されないようにしうる。このような手順及び機能は、技術的に知られており、実践されうる。所定の実施形態において、測定は、ホストコンピュータ８１０のスループット、伝搬時間、レイテンシなどの測定を促進する、独自のＵＥシグナリングを含みうる。ソフトウェア８１１および８３１が、ＯＴＴ接続８５０を用いて、伝搬時間、誤りなどを監視している間に、メッセージを、特に、空の又は「ダミーの」メッセージを送信させるという点において、測定が実装されうる。
【０１５８】
図９は、いくつかの実施形態による、ホストコンピュータ、基地局、およびユーザ端末を含んだ通信システムにおいて実装される方法を示している。
【０１５９】
図９は、一実施形態による通信システムにおいて実行される方法を示すフローチャートである。通信システムは、図７及び図８を参照して説明したものでありうるホストコンピュータ、基地局及びＵＥを含む。本開示を簡単にするために、図９への図面参照のみがこのセクションにおいて含まれる。ステップ９１０において、ホストコンピュータは、ユーザデータを提供する。ステップ９１０の（オプションでありうる）サブステップ９１１では、ホストコンピュータは、ホストアプリケーションを実行することによりユーザデータを提供する。ステップ９２０では、ホストコンピュータは、ＵＥへユーザデータを搬送する送信を開始する。（オプションでありうる）ステップ９３０では、基地局が、本開示を通じて説明した実施形態の教示に従って、ホストコンピュータが開始した送信において搬送されたユーザデータをＵＥへ送信する。（オプションでありうる）ステップ９４０では、ＵＥが、ホストコンピュータによって実行されたホストアプリケーションに関連付けられたクライアントアプリケーションを実行する。
【０１６０】
図１０は、いくつかの実施形態による、ホストコンピュータ、基地局、およびユーザ端末を含んだ通信システムにおいて実装される方法を示している。
【０１６１】
図１０は、一実施形態による、通信システムにおいて実装される方法を図解するフローチャートである。通信システムは、図７及び図８を参照して説明したものでありうるホストコンピュータ、基地局及びＵＥを含む。本開示を簡単にするために、図１０への図面参照のみがこのセクションにおいて含まれる。本方法のステップ１０１０において、ホストコンピュータがユーザデータを提供する。オプションのサブステップ（不図示）において、ホストコンピュータは、ホストアプリケーションを実行することによりユーザデータを提供する。ステップ１０２０において、ホストコンピュータは、ＵＥへユーザデータを搬送する送信を開始する。送信は、本開示を通じて説明された実施形態の教示に従って、基地局を介して受け渡される。（オプションでありうる）ステップ１０３０では、ＵＥが、その送信で搬送されたユーザデータを受信する。
【０１６２】
図１１は、いくつかの実施形態による、ホストコンピュータ、基地局、およびユーザ端末を含んだ通信システムにおいて実装される方法を示している。
【０１６３】
図１１は、一実施形態による、通信システムにおいて実装される方法を図解するフローチャートである。通信システムは、図７及び図８を参照して説明したものでありうるホストコンピュータ、基地局及びＵＥを含む。本開示を簡単にするために、図１１への図面参照のみがこのセクションにおいて含まれる。（オプションでありうる）ステップ１１１０において、ＵＥは、ホストコンピュータによって提供された入力データを受信する。追加的に又は代替的に、ステップ１１２０において、ＵＥはユーザデータを提供する。ステップ１１２０の（オプションでありうる）サブステップ１１２１において、ＵＥは、クライアントアプリケーションを実行することによりユーザデータを提供する。ステップ１１１０の（オプションでありうる）サブステップ１１１１において、ＵＥは、ホストコンピュータによって提供された入力データを受信したことを受けて、ユーザデータを提供するクライアントアプリケーションを実行する。ユーザデータを提供する際に、実行されたクライアントアプリケーションは、さらに、ユーザから受け取ったユーザ入力を考慮しうる。ユーザデータが提供された具体的な方法によらず、ＵＥは、（オプションでありうる）サブステップ１１３０において、ホストコンピュータへのユーザデータの送信を開始する。本方法のステップ１１４０において、ホストコンピュータは、本開示を通じて説明された実施形態に教示に従って、ＵＥから送信されたユーザデータを受信する。
【０１６４】
図１２は、いくつかの実施形態による、ホストコンピュータ、基地局、およびユーザ端末を含んだ通信システムにおいて実装される方法を示している。
【０１６５】
図１２は、一実施形態による、通信システムにおいて実装される方法を図解するフローチャートである。通信システムは、図７及び図８を参照して説明したものでありうるホストコンピュータ、基地局及びＵＥを含む。本開示を簡単にするために、図１２への図面参照のみがこのセクションにおいて含まれる。（オプションでありうる）ステップ１２１０において、本開示を通じて説明された実施形態の教示に従って、基地局がＵＥからユーザデータを受信する。（オプションでありうる）ステップ１２２０では、基地局が、ホストコンピュータへの受信したユーザデータの送信を開始する。（オプションでありうる）ステップ１２３０では、ホストコンピュータが、基地局によって開始された送信において搬送されたユーザデータを受信する。
【０１６６】
ここで開示された任意の適切なステップ、方法、特徴、機能、又は利点は、１つ以上の仮想装置の１つ以上の機能部又はモジュールを通じて実行されうる。各仮想装置は、これらの機能部のいくつかを有しうる。これらの機能部は、１つ以上のマイクロプロセッサ又はマイクロコントローラを含みうる処理回路と、デジタルシグナルプロセッサ（ＤＳＰ）、特定用途用デジタルロジックなどを含みうる他のデジタルハードウェアによって実装されうる。処理回路は、リードオンリーメモリ（ＲＯＭ）、ランダムアクセスメモリ（ＲＡＭ）、キャッシュメモリ、フラッシュメモリデバイス、光学記憶デバイスなどのような１つまたはいくつかの種類のメモリを含みうるメモリに記憶された、プログラムコードを実行するように構成されうる。メモリに記憶されたプログラムコードは、１つ以上の電気通信及び／又はデータ通信プロトコルを実行するためのプログラム命令、及び、ここで説明した１つ以上の技術を実行するための命令を含む。いくつかの実装では、処理回路は、本開示の１つ以上の実施形態に従って、対応する機能を各機能部に実行させるのに使用されうる。
【０１６７】
図１３は、いくつかの実施形態による方法を図解している。図１３は、特定の実施形態による方法を描画しており、本方法は、無線デバイスによる使用のために無線ベアラを設定するメッセージを受信するステップ１３０２において開始する。本方法は、ステップ１３０４においてその無線ベアラのための暗号化を有効化又は無効化する暗号化コンフィグ設定のためのメッセージを確認することと、ステップ１３０６において、受信したメッセージに従って無線ベアラのための暗号化の有効化又は無効化の少なくともいずれかを実行することとを有する。
【０１６８】
図１４は、いくつかの実施形態による仮想化装置を図解している。図１４は、無線ネットワーク（例えば、図４に示すような無線ネットワーク）における装置１４００の概略ブロック図を示している。装置は、無線デバイス又はネットワークノード（例えば、図４に示す無線デバイス４１０又はネットワークノード４６０）において実装されうる。装置１４００は、図１３を参照して説明した例示の方法及び場合によってはここで開示された任意の他の処理又は方法を実行するように動作可能である。また、図１３の方法は装置１４００のみによって実行される必要がないことも理解されるべきである。本方法の少なくともいくつかの動作が、１つ以上の他のエンティティによって実行されてもよい。
【０１６９】
仮想装置１４００は、１つ以上のマイクロプロセッサ又はマイクロコントローラ、および、デジタルシグナルプロセッサ（ＤＳＰ）や特定用途用デジタルロジックなどを含んでもよい他のデジタルハードウェアを含みうる、処理回路を有しうる。処理回路は、リードオンリーメモリ（ＲＯＭ）、ランダムアクセスメモリ、キャッシュメモリ、フラッシュメモリデバイス、光学記憶デバイスなどのような１つまたはいくつかの種類のメモリを含みうるメモリに記憶された、プログラムコードを実行するように構成されうる。メモリに記憶されたプログラムコードは、いくつかの実施形態において、１つ以上の電気通信及び／又はデータ通信プロトコルを実行するためのプログラム命令、および、ここで説明された１つ以上の技術を実行するための命令を含む。いくつかの実装において、処理回路は、受信部１４０２、確認部１４０４、並びに実行部１４０６、および装置１４００の任意の他の適切なユニットに、本開示の１つ以上の実施形態に従う対応する機能を実行させるために用いられうる。
【０１７０】
図１４に示すように、装置１４００は、受信部１４０２、確認部１４０４、および、実行部１４０６を含む。受信部１４０２は、無線デバイスによる使用のために無線ベアラを設定するメッセージを受信するように構成される。確認部１４０４は、無線ベアラに対する暗号化を有効化又は無効化する暗号化コンフィグ設定のためのメッセージを確認するように構成される。実行部１４０６は、受信したメッセージに従って、無線ベアラに対する暗号化の有効化と無効化との少なくともいずれかを実行するように構成される。
【０１７１】
用語「部（ユニット）」は、電子機器、電気デバイス及び／又は電子デバイスの分野における従来の意味を有し、例えば、ここで説明されたもののように、電気及び／又は電子回路、デバイス、モジュール、プロセッサ、メモリ、ロジックソリッドステート及び／又はディスクリートデバイス、個別のタスクを実行するためのコンピュータプログラム又は命令、手順、演算、出力、及び／又は表示機能などを含みうる。
【０１７２】
図１５は、いくつかの実施形態による方法を図解している。図１５は、特定の実施形態による方法を描画しており、本方法は、無線デバイスによる使用のための無線ベアラを設定するメッセージを生成するステップ１５０２において開始される。本方法は、その後、ステップ１５０４において無線ベアラに対する暗号化を有効化又は無効化する暗号化コンフィグ設定をメッセージに含めること、及び、ステップ１５０６において無線デバイスへそのメッセージを送信することを含む。
【０１７３】
図１６は、いくつかの実施形態による仮想化装置を図解している。図１６は、無線ネットワーク（例えば、図４に示した無線ネットワーク）における装置１６００の概略ブロック図を示している。装置は、無線デバイス又はネットワークノード（例えば図４に示す無線デバイス４１０又はネットワークノード４６０）において実装されうる。装置１６００は、図１５を参照して説明した例示の方法、および、場合によっては、ここで開示された任意の他の処理又は方法を実行するように動作可能である。また、図１５の方法が装置１６００のみによって実行されなくてもよいことが理解されるべきである。本方法の少なくとも一部の動作は、１つ以上の他のエンティティによって実行されてもよい。
【０１７４】
仮想装置１６００は、１つ以上のマイクロプロセッサ又はマイクロコントローラ、および、デジタルシグナルプロセッサ（ＤＳＰ）や特定用途用デジタルロジックなどを含んでもよい他のデジタルハードウェアを含みうる、処理回路を有しうる。処理回路は、リードオンリーメモリ（ＲＯＭ）、ランダムアクセスメモリ、キャッシュメモリ、フラッシュメモリデバイス、光学記憶デバイスなどのような１つまたはいくつかの種類のメモリを含みうるメモリに記憶された、プログラムコードを実行するように構成されうる。メモリに記憶されたプログラムコードは、いくつかの実施形態において、１つ以上の電気通信及び／又はデータ通信プロトコルを実行するためのプログラム命令、および、ここで説明された１つ以上の技術を実行するための命令を含む。いくつかの実装において、処理回路は、生成部１６０２、設定部１６０４、並びに送信部１６０６、および装置１６００の任意の他の適切なユニットに、本開示の１つ以上の実施形態に従う対応する機能を実行させるために用いられうる。
【０１７５】
図１６に示すように、装置１６００は、生成部１６０２、設定部１６０４、および送信部１６０６を含む。生成部１６０２は、無線デバイスによる使用のために無線ベアラを設定するメッセージを生成するように構成される。設定部１６０４は、無線ベアラに対する暗号化を有効化又は無効化する暗号化コンフィグ設定をメッセージに含めるように構成される。送信部１６０６は、無線デバイスへ、そのメッセージを送信するように構成される。
【０１７６】
用語「部（ユニット）」は、電子機器、電気デバイス及び／又は電子デバイスの分野における従来の意味を有し、例えば、ここで説明されたもののように、電気及び／又は電子回路、デバイス、モジュール、プロセッサ、メモリ、ロジックソリッドステート及び／又はディスクリートデバイス、個別のタスクを実行するためのコンピュータプログラム又は命令、手順、演算、出力、及び／又は表示機能などを含みうる。
【０１７７】
以下、開示された主題の様々な態様をさらに図解する所定の実施形態を列挙する。
【０１７８】
グループＡ  実施形態
１．無線デバイスによって実行される、無線デバイスにおける無線リソースを管理するための方法であって、
前記無線デバイスによる使用のための無線ベアラを設定するメッセージを受信することと、
前記無線ベアラに対する暗号化を有効化または無効化する暗号化コンフィグ設定のための前記メッセージを確認することと、
受信した前記メッセージに従って前記無線ベアラのための暗号化の有効化又は無効化の少なくともいずれかを実行することと、を含む方法。
【０１７９】
２．実施形態１の方法であって、受信した前記メッセージに従って前記無線ベアラのための暗号化の有効化又は無効化の少なくともいずれかを実行することは、
前記メッセージが前記無線ベアラに対する暗号化コンフィグ設定を含む場合、前記メッセージに含まれている前記暗号化コンフィグ設定に従って、前記無線ベアラのための暗号化の有効化又は無効化の少なくともいずれかを実行することと、
前記メッセージが前記無線ベアラに対する暗号化コンフィグ設定を含まない場合、前記無線ベアラに対する参照暗号化コンフィグ設定に従って、前記無線ベアラのための暗号化の有効化又は無効化の少なくともいずれかを実行することと、を含む。
【０１８０】
３．実施形態２の方法であって、
前記メッセージによって設定される前記無線ベアラが前記無線デバイスのための現在の設定の一部でない場合、前記参照暗号化コンフィグ設定はデフォルトの暗号化コンフィグ設定を含み、
前記メッセージによって設定される前記無線ベアラが前記無線デバイスのための現在の設定の一部である場合、前記参照暗号化コンフィグ設定は、前記無線ベアラのための既存の暗号化コンフィグ設定を含む。
【０１８１】
４．実施形態３の方法であって、前記デフォルトの暗号化コンフィグ設定は、
フィールドの説明と、
通信標準文書と、の少なくともいずれかにおいて特定される。
【０１８２】
５．実施形態３又は４の方法であって、前記デフォルトの暗号化コンフィグ設定は、前記無線ベアラのために暗号化を使用することである。
【０１８３】
６．実施形態３又は４の方法であって、前記デフォルトの暗号化コンフィグ設定は、前記無線ベアラのために暗号化を使用しないことである。
【０１８４】
７．実施形態１から６のいずれかの方法であって、前記メッセージは、無線リソース制御コネクションリコンフィギュレーションメッセージを含む。
【０１８５】
８．実施形態１から７のいずれかの方法であって、前記無線ベアラに対する暗号化コンフィグ設定のための前記メッセージを確認することは、RadioBearerConfig情報要素の内部の情報要素を確認することを含む。
【０１８６】
９．実施形態１から８のいずれかの方法であって、前記メッセージは、前記無線デバイスのための複数の無線ベアラを設定し、前記無線ベアラに対する暗号化コンフィグ設定のための前記メッセージを確認することは、前記無線ベアラに固有の情報要素を確認することを含む。
【０１８７】
１０．実施形態９の方法であって、前記無線ベアラに固有の前記情報要素は、pdcp-Configを含む。
【０１８８】
１１．実施形態９の方法であって、前記無線ベアラに固有の前記情報要素は、
データ無線ベアラに対するDRB-ToAddMod情報要素と、
シグナリング無線ベアラに対するSRB-ToAddMod情報要素と、を含む。
【０１８９】
１２．実施形態９、１０又は１１の方法であって、前記無線ベアラに対する暗号化コンフィグ設定のための前記メッセージを確認することは、前記情報要素のエクステンションマーカの後を確認することを含む。
【０１９０】
１３．実施形態１２の方法であって、前記暗号化コンフィグ設定は、暗号化が有効化されるべきか無効化されるべきかを示す単一ビットを含んだオプションのパラメータを含む。
【０１９１】
１４．実施形態９、１０又は１１の方法であって、前記無線ベアラに対する暗号化コンフィグ設定を前記メッセージに含めることは、前記暗号化コンフィグ設定を前記情報要素のエクステンションマーカの前に含めることを含み、前記暗号化コンフィグ設定は、Optional Enumerated (enabled) - Need Rパラメータを含む。
【０１９２】
１５．実施形態９の方法であって、前記無線ベアラに固有の前記情報要素は、SDAP-Config情報要素を含む。
【０１９３】
１６．実施形態１から８のいずれかの方法であって、前記メッセージは前記無線デバイスのための複数の無線ベアラを設定し、前記無線ベアラに対する暗号化コンフィグ設定のための前記メッセージを確認することは、前記メッセージによって設定される全ての無線ベアラに適用可能な情報要素を確認することを含む。
【０１９４】
１７．実施形態１６の方法であって、前記メッセージによって設定される全ての無線ベアラに適用可能な情報要素は、SecurityConfig情報要素を含む。
【０１９５】
１８．実施形態１６又は１７の方法であって、前記無線ベアラに対する暗号化コンフィグ設定のための前記メッセージを確認することは、前記メッセージによって設定される無線ベアラに対する暗号化コンフィグ設定のリストを確認することを含む。
【０１９６】
１９．実施形態１８の方法であって、前記リストは、無線ベアラアイデンティティごとに暗号化コンフィグ設定を特定する。
【０１９７】
２０．実施形態２に従属する際の実施形態１８又は１９の方法であって、前記リストは、前記暗号化コンフィグ設定が前記参照暗号化コンフィグ設定と異なるベアラに対する暗号化コンフィグ設定のみを含む。
【０１９８】
２１．実施形態１から８の方法であって、前記無線ベアラは、プロトコルデータユニット（ＰＤＵ）セッションに関連し、前記無線ベアラに対する暗号化コンフィグ設定のための前記メッセージを確認することは、そのＰＤＵセッションに関連するすべての無線ベアラへの適用のための暗号化コンフィグを確認することを含む。
【０１９９】
２２．実施形態２１の方法であって、前記無線ベアラに対する暗号化コンフィグ設定のための前記メッセージを確認することは、前記無線デバイスによって維持されているＰＤＵセッションに対する暗号化コンフィグ設定のリストを確認することを含む。
【０２００】
２３．実施形態２に従属する際の実施形態２２の方法であって、前記リストは、前記暗号化コンフィグ設定が前記暗号化コンフィグ設定と異なるＰＤＵセッションに対する暗号化コンフィグ設定のみを含む。
【０２０１】
２４．実施形態１から２３のいずれかの方法であって、受信した前記メッセージに従って前記無線ベアラのための暗号化を有効化することは、前記無線ベアラで送信されるメッセージへ暗号化を適用することを含む。
【０２０２】
２５．実施形態２４の方法であって、前記無線ベアラで送信されるメッセージへ暗号化を適用することは、
前記無線デバイスによる使用のための暗号化アルゴリズムを決定することと、
前記暗号化アルゴリズムのための入力パラメータを取得することと、
キーストリームを生成するために前記暗号化アルゴリズムに前記入力パラメータを適用することと、
前記無線ベアラでの送信のためのメッセージを暗号化するために前記キーストリームを使用することと、を含む。
【０２０３】
２６．実施形態１から２５の方法であって、
ユーザデータを提供することと、
前記ユーザデータを、前記基地局への送信を介してホストコンピュータへ転送することと、をさらに含む。
【０２０４】
２７．実施形態１から２６の方法であって、
制御シグナリングを提供することと、
前記制御シグナリングを、前記基地局への送信を介してホストコンピュータへ転送することと、をさらに含む。
【０２０５】
グループＢ  実施形態
２８．基地局によって実行される、無線デバイスによる使用のために無線リソースを設定するための方法であって、
前記無線デバイスによる使用のための無線ベアラを設定するメッセージを生成することと、
前記無線ベアラのための暗号化を有効化又は無効化する暗号化コンフィグ設定を前記メッセージに含めることと、
前記メッセージを前記デバイスへ送信することと、を含む。
【０２０６】
２９．実施形態２８の方法であって、
前記無線ベアラのための前記暗号化コンフィグ設定を前記無線ベアラのための参照暗号化コンフィグ設定と比較することと、
前記暗号化コンフィグ設定が前記参照暗号化コンフィグ設定と異なる場合にのみ、前記無線ベアラのための前記暗号化コンフィグ設定を前記生成したメッセージに含めることと、をさらに含む。
【０２０７】
３０．実施形態２９の方法であって、
前記メッセージによって設定される前記無線ベアラが前記無線デバイスのための現在の設定の一部でない場合、前記参照暗号化コンフィグ設定はデフォルトの暗号化コンフィグ設定を含み、
前記メッセージによって設定される前記無線ベアラが前記無線デバイスのための現在の設定の一部である場合、前記参照暗号化コンフィグ設定は、前記無線ベアラのための既存の暗号化コンフィグ設定を含む。
【０２０８】
３１．実施形態３０の方法であって、前記デフォルトの暗号化コンフィグ設定は、
フィールドの説明と、
通信標準文書と、の少なくともいずれかにおいて特定される。
【０２０９】
３２．実施形態３０又は３１の方法であって、前記デフォルトの暗号化コンフィグ設定は、前記無線ベアラのために暗号化を使用することである。
【０２１０】
３３．実施形態３０又は３１の方法であって、前記デフォルトの暗号化コンフィグ設定は、前記無線ベアラのために暗号化を使用しないことである。
【０２１１】
３４．実施形態２８から３３のいずれかの方法であって、前記メッセージは、無線リソース制御（ＲＲＣ）リコンフィギュレーションメッセージを含む。
【０２１２】
３５．実施形態２８から３４のいずれかの方法であって、前記無線ベアラに対する暗号化コンフィグ設定を前記メッセージに含めることは、暗号化コンフィグ設定を、RadioBearerConfig情報要素の内部の情報要素に含めることを含む。
【０２１３】
３６．実施形態２８から３５のいずれかの方法であって、前記メッセージは、前記無線デバイスのための複数の無線ベアラを設定し、前記無線ベアラに対する暗号化コンフィグ設定を前記メッセージに含めることは、前記無線ベアラに固有の情報要素に前記暗号化コンフィグ設定を含めることを含む。
【０２１４】
３７．実施形態３６の方法であって、前記無線ベアラに固有の前記情報要素は、pdcp-Configを含む。
【０２１５】
３８．実施形態３６の方法であって、前記無線ベアラに固有の前記情報要素は、
データ無線ベアラに対するDRB-ToAddMod情報要素と、
シグナリング無線ベアラに対するSRB-ToAddMod情報要素と、を含む。
【０２１６】
３９．実施形態３６、３７又は３８の方法であって、前記無線ベアラに対する暗号化コンフィグ設定を前記メッセージに含めることは、前記情報要素のエクステンションマーカの後に前記暗号化コンフィグ設定を含めることを含む。
【０２１７】
４０．実施形態３９の方法であって、前記暗号化コンフィグ設定は、暗号化が有効化されるべきか無効化されるべきかを示す単一ビットを含んだオプションのパラメータを含む。
【０２１８】
４１．実施形態３６、３７又は３８の方法であって、前記無線ベアラに対する暗号化コンフィグ設定を前記メッセージに含めることは、前記暗号化コンフィグ設定を前記情報要素のエクステンションマーカの前に含めることを含み、前記暗号化コンフィグ設定は、Optional Enumerated (enabled) - Need Rパラメータを含む。
【０２１９】
４２．実施形態３６の方法であって、前記無線ベアラに固有の前記情報要素は、SDAP-Config情報要素を含む。
【０２２０】
４３．実施形態２８から３５のいずれかの方法であって、前記メッセージは前記ＵＥのための複数の無線ベアラを設定し、前記無線ベアラに対する暗号化コンフィグ設定を前記メッセージに含めることは、前記メッセージによって設定される全ての無線ベアラへの適用のための情報要素に前記暗号化コンフィグ設定を含めることを含む。
【０２２１】
４４．実施形態４３の方法であって、前記メッセージによって設定される全ての無線ベアラに適用可能な情報要素は、SecurityConfig情報要素を含む。
【０２２２】
４５．実施形態４３又は４４の方法であって、前記無線ベアラに対する暗号化コンフィグ設定を前記メッセージに含めることは、前記メッセージによって設定される無線ベアラに対する暗号化コンフィグ設定のリストを含めることを含む。
【０２２３】
４６．実施形態４５の方法であって、前記リストは、無線ベアラアイデンティティごとに暗号化コンフィグ設定を特定する。
【０２２４】
４７．実施形態２９に従属する際の実施形態４５又は４５の方法であって、前記リストは、前記暗号化コンフィグ設定が前記参照暗号化コンフィグ設定と異なるベアラに対する暗号化コンフィグ設定のみを含む。
【０２２５】
４８．実施形態２８から３５の方法であって、前記無線ベアラは、プロトコルデータユニット（ＰＤＵ）セッションに関連し、前記無線ベアラに対する暗号化コンフィグ設定を前記メッセージに含めることは、そのＰＤＵセッションに関連するすべての無線ベアラへの適用のための暗号化コンフィグを含めることを含む。
【０２２６】
４９．実施形態４８の方法であって、前記無線ベアラに対する暗号化コンフィグ設定を前記メッセージに含めることは、前記無線デバイスによって維持されているＰＤＵセッションに対する暗号化コンフィグ設定のリストを含めることを含む。
【０２２７】
５０．実施形態２９に従属する際の実施形態４９の方法であって、前記リストは、前記暗号化コンフィグ設定が前記暗号化コンフィグ設定と異なるＰＤＵセッションに対する暗号化コンフィグ設定のみを含む。
【０２２８】
５１．実施形態２８から５０のいずれかの方法であって、前記無線ベアラのための前記暗号化コンフィグ設定が前記無線ベアラのための暗号化を有効化する場合、前記方法は、前記無線ベアラにおいて前記無線デバイスへ送信されるメッセージに暗号化を適用することをさらに含む。
【０２２９】
５２．実施形態５１の方法であって、前記無線ベアラで前記無線デバイスへ送信されるメッセージへ暗号化を適用することは、
前記無線デバイスとの使用のための暗号化アルゴリズムを決定することと、
前記暗号化アルゴリズムのための入力パラメータを取得することと、
キーストリームを生成するために前記暗号化アルゴリズムに前記入力パラメータを適用することと、
前記無線ベアラでの前記無線デバイスへの送信のためのメッセージを暗号化するために前記キーストリームを使用することと、を含む。
【０２３０】
５３．実施形態２８から５２の方法であって、
ユーザデータを取得することと、
前記ユーザデータを、ホストコンピュータまたは無線デバイスへ転送することと、をさらに含む。
【０２３１】
５４．実施形態２８から５３の方法であって、
制御シグナリングを取得することと、
前記制御シグナリングを、ホストコンピュータまたは無線デバイスへ転送することと、をさらに含む。
【０２３２】
グループＣ  実施形態
５５．無線デバイスにおける無線リソースを管理するための前記無線デバイスであって、
グループＡの実施形態のいずれかにおけるステップのいずれかを実行するように構成された処理回路と、
前記無線デバイスへ電力を供給するように構成された電力供給回路と、を有する。
【０２３３】
５６．無線デバイスによる使用のための無線リソースを設定する基地局であって、
グループＢの実施形態のいずれかにおけるステップのいずれかを実行するように構成された処理回路と、
前記基地局へ電力を供給するように構成された電力供給回路と、を有する。
【０２３４】
５７．無線デバイスにおける無線リソースを管理するためのユーザ端末（ＵＥ）であって、
無線信号を送信及び受信するように構成されたアンテナと、
前記アンテナ及び処理回路に接続され、前記アンテナと前記処理回路との間で伝達される信号を調整するように構成された無線フロントエンド回路と、
グループＡの実施形態のいずれかにおけるステップのいずれかを実行するように構成されている前記処理回路と、
前記処理回路に接続され、前記ＵＥへの前記処理回路で処理されるべき情報の入力を可能とするように構成された入力インタフェースと、
前記処理回路に接続され、前記処理回路によって処理された情報を前記ＵＥから出力するように構成された出力インタフェースと、
前記処理回路に接続され、前記ＵＥへ電力を供給するように構成されたバッテリと、を有する。
【０２３５】
５８．ユーザデータを提供するように構成された処理回路と、
ユーザ端末（ＵＥ）への送信のためにセルラネットワークへ前記ユーザデータを転送するように構成された通信インタフェースと、
を有するホストコンピュータを含んだ通信システムであって、
前記セルラネットワークは、無線インタフェース及び処理回路を有する基地局を含み、前記基地局の処理回路は、グループＢのいずれかにおけるステップのいずれかを実行するように構成される。
【０２３６】
５９．実施形態５８の通信システムであって、前記基地局を含む。
【０２３７】
６０．実施形態５８又は５９の通信システムであって、前記基地局と通信するように構成された前記ＵＥをさらに含む。
【０２３８】
６１．実施形態５８から６０のいずれかの通信システムであって、
前記ホストコンピュータの前記処理回路は、ホストアプリケーションを実行するように構成され、それにより前記ユーザデータを提供し、
前記ＵＥは前記ホストアプリケーションと関連するクライアントアプリケーションを実行するように構成された処理回路を有する。
【０２３９】
６２．ホストコンピュータ、基地局、および、ユーザ端末（ＵＥ）を含んだ通信システムにおいて実行される方法であって、
前記ホストコンピュータにおいて、ユーザデータを提供することと、
前記ホストコンピュータにおいて、前記基地局を含んだセルラネットワークを介して前記ＵＥへ前記ユーザデータを搬送する送信を開始することと、を含み、前記基地局は、前記グループＢのいずれかにおけるステップのいずれかを実行する。
【０２４０】
６３．実施形態６２の方法であって、前記基地局において前記ユーザデータを送信することをさらに含む。
【０２４１】
６４．実施形態６２又は６３の方法であって、前記ホストコンピュータにおいてホストアプリケーションを実行することにより前記ユーザデータが提供され、前記方法は、さらに、前記ＵＥにおいて、前記ホストアプリケーションと関連するクライアントアプリケーションを実行することを含む。
【０２４２】
６５．基地局と通信するように構成されたユーザ端末（ＵＥ）であって、実施形態６２から６４の方法を実行するように構成された無線インタフェースと処理回路とを有する。
【０２４３】
６６．ユーザデータを提供するように構成された処理回路と、
ユーザ端末（ＵＥ）への送信のタメニセルラネットワークへユーザデータを転送するように構成された通信インタフェースと、を有するホストコンピュータを含んだ通信システムであって、
前記ＵＥは、無線インタフェースと処理回路とを有し、前記ＵＥのコンポーネントが、グループＡの実施形態のいずれかにおけるステップのいずれかを実行するように構成される。
【０２４４】
６７．実施形態６６の通信システムであって、前記セルラネットワークは、前記ＵＥと通信するように構成された基地局をさらに含む。
【０２４５】
６８．実施形態６６又は６７の通信システムであって、
前記ホストコンピュータの前記処理回路は、ホストアプリケーションを実行することにより、前記ユーザデータを提供するように構成され、
前記ＵＥの前記処理回路は、前記ホストアプリケーションと関連するクライアントアプリケーションを実行するように構成される。
【０２４６】
６９．ホストコンピュータ、基地局、および、ユーザ端末を含んだ通信システムにおいて実行される方法であって、
前記ホストコンピュータにおいて、ユーザデータを提供することと、
前記ホストコンピュータにおいて、前記基地局を含んだセルラネットワークを介して前記ＵＥへ前記ユーザデータを搬送する送信を開始することと、を含み、前記ＵＥは、グループＡの実施形態のいずれかにおけるステップのいずれかを実行する。
【０２４７】
７０．実施形態６９の方法であって、前記ＵＥにおいて、前記基地局から前記ユーザデータを受信することをさらに含む。
【０２４８】
７１．ユーザ端末（ＵＥ）から基地局への送信信号から生じるユーザデータを受信するように構成された通信インタフェースを有するホストコンピュータを含んだ通信システムであって、
前記ＵＥは、無線インタフェースと処理回路とを有し、前記ＵＥの処理回路は、グループＡの実施形態のいずれかにおけるステップのいずれかを実行するように構成される。
【０２４９】
７２．実施形態７１の通信システムであって、前記ＵＥをさらに含む。
【０２５０】
７３．実施形態７１又は７２の通信システムであって、前記基地局をさらに含み、前記基地局は、前記ＵＥと通信するように構成された無線インタフェースと、前記ＵＥから前記基地局への送信により搬送された前記ユーザデータを前記ホストコンピュータに転送するように構成された通信インタフェースとを有する。
【０２５１】
７４．実施形態７１から７３のいずれかの通信システムであって、
前記ホストコンピュータの前記処理回路は、ホストアプリケーションを実行するように構成され、
前記ＵＥの処理回路は、前記ホストアプリケーションに関連するクライアントアプリケーションを実行することにより前記ユーザデータを提供するように構成される。
【０２５２】
７５．実施形態７１から７４のいずれかの通信システムであって、
前記ホストコンピュータの前記処理回路は、ホストアプリケーションを実行することにより、要求データを提供するように構成され、
前記ＵＥの処理回路は、前記ホストアプリケーションと関連するクライアントアプリケーションを実行することにより、前記要求データに応答して前記ユーザデータを提供するように構成される。
【０２５３】
７６．ホストコンピュータ、基地局、および、ユーザ端末（ＵＥ）を含んだ通信システムにおいて実行される方法であって、
前記ホストコンピュータにおいて、前記基地局へ前記ＵＥが送信したユーザデータを受信することを含み、前記ＵＥは、グループＡの実施形態のいずれかにおけるステップのいずれかを実行する。
【０２５４】
７７．実施形態７６の方法であって、前記ＵＥにおいて、前記基地局へ前記ユーザデータを提供することをさらに含む。
【０２５５】
７８．実施形態７６又は７７の方法であって、
前記ＵＥにおいて、クライアントアプリケーションを実行することにより、送信されるべき前記ユーザデータを提供することと、
前記ホストコンピュータにおいて、前記クライアントアプリケーションと関連するホストアプリケーションを実行することと、をさらに含む。
【０２５６】
７９．実施形態７６から７８の方法であって、
前記ＵＥにおいて、クライアントアプリケーションを実行することと、
前記ＵＥにおいて、前記クライアントアプリケーションと関連するホストアプリケーションを実行することにより、前記ホストコンピュータにおいて提供される前記クライアントアプリケーションへの入力データを受信することと、をさらに含み、
送信されるべき前記ユーザデータは、前記入力データに応答して、前記クライアントによって提供される。
【０２５７】
８０．ユーザ端末（ＵＥ）から基地局への送信から生じるユーザデータを受信するように構成された通信インタフェースを含んだホストコンピュータを含んだ通信システムであって、前記基地局は、無線インタフェースと処理回路を有し、前記基地局の処理回路は、グループＢの実施形態のいずれかにおけるステップのいずれかを実行する。ように構成される。
【０２５８】
８１．実施形態８０の通信システムであって、さらに、前記基地局を含む。
【０２５９】
８２．実施形態８０又は８１の通信システムであって、前記ＵＥをさらに含み、前記ＵＥは、前記基地局と通信するように構成される。
【０２６０】
８３．実施形態８０から８２の通信システムであって、
前記ホストコンピュータの前記処理回路は、ホストアプリケーションを実行するように構成され、
前記ＵＥは、前記ホストアプリケーションと関連するクライアントアプリケーションを実行することにより、前記ホストコンピュータによって受信されるべき前記ユーザデータを提供するように構成される。
【０２６１】
８４．ホストコンピュータ、基地局、および、ユーザ端末（ＵＥ）を含んだ通信システムにおいて実行される方法であって、
前記ホストコンピュータにおいて、前記基地局が前記ＵＥから受信した送信信号から生じるユーザデータを、前記基地局から受信することを含み、前記ＵＥは、グループＡの実施形態のいずれかにおけるステップのいずれかを実行する。
【０２６２】
８５．実施形態８４の方法であって、前記基地局において、前記ＵＥから前記ユーザデータを受信することをさらに含む。
【０２６３】
８６．実施形態８４または８５の方法であって、前記基地局において、前記ホストコンピュータへ、受信した前記ユーザデータの送信を開始することをさらに含む。
【図１】
2021520687.tif 000014
【図２】
2021520687.tif 000015
【図３】
2021520687.tif 000016
【図４】
2021520687.tif 000017
【図５】
2021520687.tif 000018
【図６】
2021520687.tif 000019
【図７】
2021520687.tif 000020
【図８】
2021520687.tif 000021
【図９】
2021520687.tif 000022
【図１０】
2021520687.tif 000023
【図１１】
2021520687.tif 000024
【図１２】
2021520687.tif 000025
【図１３】
2021520687.tif 000026
【図１４】
2021520687.tif 000027
【図１５】
2021520687.tif 000028
【図１６】
2021520687.tif 000029
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
無線デバイスにおける無線リソースの管理のための、前記無線デバイスによって実行される方法であって、
前記無線デバイスによる使用のための無線ベアラを設定するメッセージを受信すること（１３０２）と、
前記無線ベアラに対する暗号化を有効化又は無効化する暗号化コンフィグ設定のための前記メッセージを確認すること（１３０４）と、
受信した前記メッセージに従って前記無線ベアラのための暗号化の有効化又は無効化の少なくともいずれかを実行すること（１３０６）と、
を有し、
前記メッセージは、前記無線デバイスのために複数の無線ベアラを設定し、
前記無線ベアラに対する暗号化コンフィグ設定のための前記メッセージを確認すること（１３０４）は、前記無線ベアラに固有のpdcp-Config情報要素を確認することを含み、
前記無線ベアラに対する暗号化コンフィグ設定のための前記メッセージを確認すること（１３０４）は、前記pdcp-Config情報要素のエクステンションマーカの後を確認することを含む、方法。
【請求項２】
請求項１に記載の方法であって、受信した前記メッセージに従って前記無線ベアラのための暗号化の有効化又は無効化の少なくともいずれかを実行すること（１３０６）は、
前記メッセージが前記無線ベアラに対する暗号化コンフィグ設定を含む場合、前記メッセージに含まれている前記暗号化コンフィグ設定に従って、前記無線ベアラのための暗号化の有効化又は無効化の少なくともいずれかを実行することと、
前記メッセージが前記無線ベアラに対する暗号化コンフィグ設定を含まない場合、前記無線ベアラに対する参照暗号化コンフィグ設定に従って、前記無線ベアラのための暗号化の有効化又は無効化の少なくともいずれかを実行することと、
を含む方法。
【請求項３】
請求項２に記載の方法であって、
前記メッセージによって設定される前記無線ベアラが前記無線デバイスのための現在の設定の一部でない場合、前記参照暗号化コンフィグ設定はデフォルトの暗号化コンフィグ設定を含み、
前記メッセージによって設定される前記無線ベアラが前記無線デバイスのための現在の設定の一部である場合、前記参照暗号化コンフィグ設定は、前記無線ベアラのための既存の暗号化コンフィグ設定を含む、方法。
【請求項４】
請求項１から３のいずれか１項に記載の方法であって、前記メッセージは、無線リソース制御コネクションリコンフィギュレーションメッセージ又は無線リソース制御リコンフィギュレーションメッセージを含む、方法。
【請求項５】
請求項１から４のいずれか１項に記載の方法であって、前記無線ベアラに対する暗号化コンフィグ設定のための前記メッセージを確認すること（１３０４）は、RadioBearerConfig情報要素の内部の情報要素を確認することを含む、方法。
【請求項６】
請求項１に記載の方法であって、前記暗号化コンフィグ設定は、暗号化が有効化されるべきか無効化されるべきかを示す単一ビットを含んだオプションのパラメータを含む、方法。
【請求項７】
基地局によって実行される、無線デバイスによる使用のために無線リソースを設定するための方法であって、
前記無線デバイスによる使用のための無線ベアラを設定するメッセージを生成すること（１５０２）と、
前記無線ベアラのための暗号化を有効化又は無効化する暗号化コンフィグ設定を前記メッセージに含めること（１５０４）と、
前記メッセージを前記デバイスへ送信すること（１５０６）と、を含み、
前記メッセージは、前記無線デバイスのための複数の無線ベアラを設定し、
前記無線ベアラに対する暗号化コンフィグ設定を前記メッセージに含めること（１５０４）は、前記無線ベアラに固有のpdcp-Config情報要素に前記暗号化コンフィグ設定を含めることを含み、
前記無線ベアラに対する暗号化コンフィグ設定を前記メッセージに含めること（１５０４）は、前記pdcp-Config情報要素のエクステンションマーカの後に前記暗号化コンフィグ設定を含めることを含む、方法。
【請求項８】
請求項７に記載の方法であって、
前記無線ベアラのための前記暗号化コンフィグ設定を前記無線ベアラのための参照暗号化コンフィグ設定と比較することと、
前記暗号化コンフィグ設定が前記参照暗号化コンフィグ設定と異なる場合にのみ、前記無線ベアラのための前記暗号化コンフィグ設定を前記生成したメッセージに含めることと、
をさらに含む方法。
【請求項９】
請求項８に記載の方法であって、
前記メッセージによって設定される前記無線ベアラが前記無線デバイスのための現在の設定の一部でない場合、前記参照暗号化コンフィグ設定はデフォルトの暗号化コンフィグ設定を含み、
前記メッセージによって設定される前記無線ベアラが前記無線デバイスのための現在の設定の一部である場合、前記参照暗号化コンフィグ設定は、前記無線ベアラのための既存の暗号化コンフィグ設定を含む方法。
【請求項１０】
請求項７から９のいずれか１項に記載の方法であって、前記メッセージは、無線リソース制御（ＲＲＣ）リコンフィギュレーションメッセージを含む、方法。
【請求項１１】
請求項７から１０のいずれか１項に記載の方法であって、前記無線ベアラに対する暗号化コンフィグ設定を前記メッセージに含めること（１５０４）は、前記暗号化コンフィグ設定を、RadioBearerConfig情報要素の内部の情報要素に含めることを含む、方法。
【請求項１２】
請求項７に記載の方法であって、前記暗号化コンフィグ設定は、暗号化が有効化されるべきか無効化されるべきかを示す単一ビットを含んだオプションのパラメータを含む、方法。
【請求項１３】
請求項７から１１のいずれか１項に記載の方法であって、前記無線ベアラは、プロトコルデータユニット（ＰＤＵ）セッションに関連し、前記無線ベアラに対する暗号化コンフィグ設定を前記メッセージに含めること（１５０４）は、当該ＰＤＵセッションに関連するすべての無線ベアラへの適用のための暗号化コンフィグを含めることを含む、方法。
【請求項１４】
無線デバイスにおける無線リソースを管理するための前記無線デバイスであって、
処理回路と、
前記無線デバイスに電力を供給するように構成された電力供給回路と、を有し、
前記処理回路は、
ｉ．前記無線デバイスによる使用のための無線ベアラを設定するメッセージを受信し、
ｉｉ．前記無線ベアラのための暗号化を有効化又は無効化する暗号化コンフィグ設定のための前記メッセージを確認し、
ｉｉｉ．受信した前記メッセージに従って前記無線ベアラのための暗号化の有効化又は無効化の少なくともいずれかを実行する
ように構成され、
前記メッセージは、前記無線デバイスのために複数の無線ベアラを設定し、
前記無線ベアラに対する暗号化コンフィグ設定のための前記メッセージを確認すること（１３０４）は、前記無線ベアラに固有のpdcp-Config情報要素を確認することを含み、
前記無線ベアラに対する暗号化コンフィグ設定のための前記メッセージを確認すること（１３０４）は、前記pdcp-Config情報要素のエクステンションマーカの後を確認することを含む、無線デバイス。
【請求項１５】
無線デバイスによる使用のための無線リソースを設定するための基地局であって、
処理回路と、
前記基地局に電力を供給するように構成された電力供給回路と、を有し、
前記処理回路は、
ｉ．前記無線デバイスによる使用のための無線ベアラを設定するメッセージを生成し、
ｉｉ．前記無線ベアラのための暗号化を有効化又は無効化する暗号化コンフィグ設定を前記メッセージに含め、
ｉｉｉ．前記無線デバイスへ前記メッセージを送信する、
ように構成され、
前記メッセージは、前記無線デバイスのための複数の無線ベアラを設定し、
前記無線ベアラに対する暗号化コンフィグ設定を前記メッセージに含めること（１５０４）は、前記無線ベアラに固有のpdcp-Config情報要素に前記暗号化コンフィグ設定を含めることを含み、
前記無線ベアラに対する暗号化コンフィグ設定を前記メッセージに含めること（１５０４）は、前記pdcp-Config情報要素のエクステンションマーカの後に前記暗号化コンフィグ設定を含めることを含む、基地局。
【請求項１６】
無線デバイスにおける無線リソースを管理するユーザ端末（ＵＥ）であって、前記ＵＥは、
無線信号を送信及び受信するように構成されたアンテナと、
前記アンテナ及び処理回路に接続され、前記アンテナと前記処理回路との間で伝達される信号を調整するように構成された無線フロントエンド回路と、
前記処理回路であって、
ｉ．前記無線デバイスによる使用のための無線ベアラを設定するメッセージを受信し、
ｉｉ．前記無線ベアラのための暗号化を有効化又は無効化する暗号化コンフィグ設定のための前記メッセージを確認し、
ｉｉｉ．前記受信されたメッセージに従って前記無線ベアラのための暗号化を有効化又は無効化の少なくともいずれかを実行する
ように構成され、
ここで、前記メッセージは、前記無線デバイスのために複数の無線ベアラを設定し、
前記無線ベアラに対する暗号化コンフィグ設定のための前記メッセージを確認すること（１３０４）は、前記無線ベアラに固有のpdcp-Config情報要素を確認することを含み、
前記無線ベアラに対する暗号化コンフィグ設定のための前記メッセージを確認すること（１３０４）は、前記pdcp-Config情報要素のエクステンションマーカの後を確認することを含む、
前記処理回路と、
前記処理回路に接続され、前記ＵＥへの前記処理回路で処理されるべき情報の入力を可能とするように構成された入力インタフェースと、
前記処理回路に接続され、前記処理回路によって処理された情報を前記ＵＥから出力するように構成された出力インタフェースと、
前記処理回路に接続され、前記ＵＥへ電力を供給するように構成されたバッテリと、を有するユーザ端末（ＵＥ）。
【国際調査報告】
2021520687.tif 000030
2021520687.tif 000031